(57)【要約】  【課題】  より安価に地域のセキュリティを確保するシステムを構築すること。  【解決手段】  端末１６１、５、６と、階層構造に配置された複数の中継装置３−１〜３−ｎ、４−１〜４−ｍと、センター装置２とを備えている。端末１６１、５、６は、固有のヘルプＩＤを格納し、ボタンを有し、ボタンの押下に応答してヘルプＩＤを電波により送信する。複数の中継装置３−１〜３−ｎ、４−１〜４−ｍの各々は、ヘルプＩＤを受信したとき、センター装置２からの予めの指示または転送制限回数に基づいてヘルプＩＤがお茶を淹れるセンター装置２に送信されるように、ヘルプＩＤを中継する。  【選択図】図１
2005243002.tif 000002
【特許請求の範囲】
【請求項１】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信する
近隣セキュリティシステム。
【請求項２】
請求項１において、
前記複数の中継装置は、階層構造に配置され、
前記複数の中継装置の各々は、前記ヘルプＩＤを受信したとき、前記ヘルプＩＤが前記階層構造内を複数のルートを介して前記センター装置に送信されるように、前記ヘルプＩＤを中継する
近隣セキュリティシステム。
【請求項３】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信し、
前記センター装置は、
ＩＤを連絡先に対応付ける連絡先データベースを備え、
前記連絡先データベースを参照して、前記連絡先のうちの前記ヘルプＩＤに対応するヘルプ連絡先に前記ボタンの操作を通知する
近隣セキュリティシステム。
【請求項４】
請求項３において、
前記ヘルプ連絡先は、複数の連絡先からなり、
前記センター装置は、前記端末が備える複数ボタンを連絡先の種類に対応付けるボタンデータベースを更に備え、
前記ボタンデータベースを参照して、前記ヘルプ連絡先のうちの前記ボタンに対応する種類の連絡先に前記ボタンの操作を通知する
近隣セキュリティシステム。
【請求項５】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信し、
前記センター装置は、
ボランティアの連絡先を記録する守護者データベースを備え、
前記守護者データベースを参照して、前記連絡先に前記ボタンの操作を通知する
近隣セキュリティシステム。
【請求項６】
請求項５において、
前記守護者データベースは、前記連絡先を時間帯に更に対応付け、
前記センター装置は、前記守護者データベースを参照して、前記時間帯にのみ前記連絡先に前記ボタンの操作を通知する
近隣セキュリティシステム。
【請求項７】
請求項１〜請求項６において、
前記センター装置は、
前記複数の中継装置がそれぞれ配置される位置を記録する中継装置データベースを備え、
前記中継装置データベースを参照して、前記複数の中継装置のうちの前記電波を受信した中継装置の位置に基づいて前記端末が配置される端末位置を推測する
近隣セキュリティシステム。
【請求項８】
請求項７において、
前記端末は、第１電波を介して前記ヘルプＩＤを出力し、前記第１電波より電波強度が小さい第２電波を介して前記ヘルプＩＤを出力し、
前記センター装置は、前記中継装置データベースを参照して、前記複数の中継装置のうちの前記第１電波を受信した中継装置の位置と前記複数の中継装置のうちの前記第２電波を受信した中継装置の位置とに基づいて前記端末位置を推測する
近隣セキュリティシステム。
【請求項９】
請求項７または請求項８において、
他の端末を更に具備し、
前記センター装置は、前記端末位置を前記複数の中継装置に配信し、
前記複数の中継装置は、前記端末位置を表示し、電波を介して前記端末位置を前記他の端末に配信し、
前記他の端末は、前記端末位置を表示する
近隣セキュリティシステム。
【請求項１０】
請求項１乃至請求項９のいずれかにおいて、
他の端末を更に具備し、
前記センター装置は、前記ボタンの操作を前記複数の中継装置に配信し、
前記複数の中継装置は、電波を介して前記ボタンの操作を前記他の端末に配信する
近隣セキュリティシステム。
【請求項１１】
請求項１〜請求項１０のいずれかにおいて、
前記複数の中継装置は、
公衆回線網を介して前記センター装置に接続される複数の第１中継装置と、
電波を介して前記第１中継装置に接続される複数の第２中継装置とを含み、
前記複数の第２中継装置のうちの前記電波を受信した中継装置は、前記ヘルプＩＤを示す他の電波を出力し、
前記複数の第１中継装置のうちの前記他の電波を受信した中継装置は、前記公衆回線網を介して前記センター装置に前記ヘルプＩＤを送信する
近隣セキュリティシステム。
【請求項１２】
請求項１１において、
前記複数の第２中継装置のうちの前記電波を受信した中継装置は、前記ヘルプＩＤを示す他の電波を出力し、
前記複数の第２中継装置のうちの前記他の電波を受信した中継装置は、前記ヘルプＩＤを示す更に他の電波を出力し、
前記複数の第１中継装置のうちの前記更に他の電波を受信した中継装置は、前記公衆回線網を介して前記センター装置に前記ヘルプＩＤを送信する
近隣セキュリティシステム。
【請求項１３】
請求項１１または請求項１２のいずれかにおいて、
前記センター装置は、
公衆に発令される緊急情報を収集し、
前記公衆回線網を介して前記複数の第１中継装置に前記緊急情報を配信し、
前記複数の第１中継装置は、前記緊急情報を表示し、電波を介して前記複数の第２中継装置に配信し、
前記複数の第２中継装置は、前記緊急情報を表示する
近隣セキュリティシステム。
【請求項１４】
請求項１３において、
前記複数の第２中継装置は、電波を介して前記緊急情報を前記端末に配信し、
前記端末は、前記緊急情報を表示する
近隣セキュリティシステム。
【請求項１５】
請求項１１乃至請求項１４のいずれかにおいて、
前記センター装置は、前記複数の第１中継装置にチェック指示を配信し、
前記複数の第１中継装置は、前記センター装置からチェック指示を受信したときに、当該複数の第１中継装置が正常に動作するかどうかを示すチェック結果を前記センター装置に返信し、前記複数の第２中継装置に前記チェック指示を配信し、
前記複数の第２中継装置は、前記複数の第１中継装置から前記チェック指示を受信したときに、当該複数の第１中継装置が正常に動作するかどうかを示すチェック結果を前記複数の第１中継装置に返信し、
前記複数の第１中継装置は、前記複数の第２中継装置から受信した前記チェック結果を前記センター装置に転送する
近隣セキュリティシステム。
【請求項１６】
請求項１〜請求項１５のいずれかに記載の近隣セキュリティシステムに適用される
端末。
【請求項１７】
請求項１６において、
複数の電子機器がケースに収納される端末本体と、
前記端末本体から突出している輪とを具備し、
前記輪は、導体から形成され、前記電波を発振するアンテナに用いられる
端末。
【請求項１８】
請求項１７において、
前記輪は、前記端末本体から引かれることを検出し、前記ボタンとして用いられる
端末。
【請求項１９】
請求項１６〜請求項１８のいずれかにおいて、
電話回線網を介して前記電話回線網に接続される電話機と通話する機能を備える
端末。
【請求項２０】
請求項１９において、
前記電話回線網に接続される所定の装置から通信を要求されたときに、着信音を鳴らさないで、検出された音を前記電話回線網を介して前記所定の装置に送信する
端末。
【請求項２１】
請求項１６〜請求項１８のいずれかにおいて、
前記センタ装置から所定の情報を受信し、かつ、所定の操作がされたときに、前記電波の出力を停止する
端末。
【請求項２２】
請求項１６〜請求項２１のいずれかにおいて、
前記ボタンの操作に応答して警報音を発するブザー
を具備する端末。
【請求項２３】
請求項１６〜請求項２１のいずれかにおいて、
前記固有のヘルプＩＤを示す電波の受信に応答して前記ヘルプ電波を出力する
端末。
【請求項２４】
請求項１〜請求項１５のいずれかに記載の近隣セキュリティシステムに適用される
中継装置。
【請求項２５】
請求項２４において、
前記端末の機能を更に有する
中継装置。
【請求項２６】
固有のヘルプＩＤを格納し、ボタンを有する端末と、
階層構造に配置された複数の中継装置と、
センター装置とを備える近隣セキュリティシステムを用いて実行される近隣セキュリティ方法であり、
前記端末が、前記ボタンの操作に応答して前記ヘルプＩＤを電波により送信するステップと、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信するステップ
とを具備する近隣セキュリティ方法。
【請求項２７】
請求項２６において、
前記複数の中継装置の各々は、前記ヘルプＩＤを受信したとき、前記ヘルプＩＤが前記階層構造内を複数のルートを介して前記センター装置に送信されるように、前記ヘルプＩＤを中継する
近隣セキュリティ方法。
【請求項２８】
固有のヘルプＩＤを格納し、ボタンを有する端末と、
階層構造に配置された複数の中継装置と、
センター装置とを備え、
前記センター装置は、ＩＤを連絡先に対応付ける連絡先データベースを備える
近隣セキュリティシステムを用いて実行される近隣セキュリティ方法であり、
前記端末が、前記ボタンの操作に応答して前記ヘルプＩＤを電波により送信するステップと、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信するステップと、
前記センター装置が、前記連絡先データベースを参照して、前記連絡先のうちの前記ヘルプＩＤに対応するヘルプ連絡先に前記ボタンの操作を通知するステップ
とを具備する近隣セキュリティ方法。
【請求項２９】
請求項２８において、
前記ヘルプ連絡先は、複数の連絡先からなり、
前記センター装置は、前記端末が備える複数ボタンを連絡先の種類に対応付けるボタンデータベースを更に備え、
前記センター装置が、前記ボタンデータベースを参照して、前記ヘルプ連絡先のうちの前記ボタンに対応する種類の連絡先に前記ボタンの操作を通知するステップ
を更に具備する近隣セキュリティ方法。
【請求項３０】
固有のヘルプＩＤを格納し、ボタンを有する端末と、
階層構造に配置された複数の中継装置と、
センター装置とを備え、
前記センター装置は、ボランティアの連絡先を記録する守護者データベースを備える
近隣セキュリティシステムを用いて実行される近隣セキュリティ方法であり、
前記端末が、前記ボタンの操作に応答して前記ヘルプＩＤを電波により送信するステップと、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信するステップと、
前記センター装置が、前記守護者データベースを参照して、前記連絡先に前記ボタンの操作を通知するステップ
とを具備する近隣セキュリティ方法。
【請求項３１】
請求項３０において、
前記守護者データベースは、前記連絡先を時間帯に更に対応付け、
前記センター装置は、前記守護者データベースを参照して、前記時間帯にのみ前記連絡先に前記ボタンの操作を通知する
近隣セキュリティ方法。
【請求項３２】
請求項２６〜請求項３１のいずれかにおいて、
前記センター装置は、前記複数の中継装置がそれぞれ配置される位置を記録する中継装置データベースを備え、
更に、
前記センター装置が、前記中継装置データベースを参照して、前記複数の中継装置のうちの前記電波を受信した中継装置の位置に基づいて前記端末が配置される端末位置を推測するステップと、
前記センター装置が、前記端末位置を前記ヘルプ連絡先に更に通知するステップ
とを具備する近隣セキュリティ方法。
【請求項３３】
請求項３２において、
前記端末は、第１電波を介して前記ヘルプＩＤを出力し、前記第１電波より電波強度が小さい第２電波を介して前記ヘルプＩＤを出力するステップと、
前記センター装置は、前記中継装置データベースを参照して、前記複数の中継装置のうちの前記第１電波を受信した中継装置の位置と前記複数の中継装置のうちの前記第２電波を受信した中継装置の位置とに基づいて前記端末位置を推測するステップ
とを更に具備する近隣セキュリティ方法。
【請求項３４】
請求項３３において、
前記センター装置が、前記端末位置を前記複数の中継装置に配信するステップと、
前記複数の中継装置が、前記端末位置を表示し、電波を介して前記端末位置を前記他の端末に配信するステップと、
前記他の端末が、前記端末位置を表示するステップ
とを更に具備する近隣セキュリティ方法。
【請求項３５】
請求項２６または請求項３４のいずれかにおいて、
前記近隣セキュリティシステムは、他の端末を更に備え、
更に、
前記センター装置が、前記ボタンの操作を前記複数の中継装置に配信するステップと、
前記複数の中継装置が、電波を介して前記ボタンの操作を前記他の端末に配信するステップ
とを具備する近隣セキュリティ方法。
【請求項３６】
請求項２６〜請求項３５のいずれかにおいて、
前記複数の中継装置は、
公衆回線網を介して前記センター装置に接続される複数の第１中継装置と、
電波を介して前記第１中継装置に接続される複数の第２中継装置とを含み、
前記複数の第２中継装置のうちの前記電波を受信した中継装置が、前記ヘルプＩＤを示す他の電波を出力するステップと、
前記複数の第１中継装置のうちの前記他の電波を受信した中継装置は、前記公衆回線網を介して前記センター装置に前記ヘルプＩＤを送信するステップ
とを具備する近隣セキュリティ方法。
【請求項３７】
請求項３６において、
前記複数の第２中継装置のうちの前記電波を受信した中継装置が、前記ヘルプＩＤを示す他の電波を出力ステップと、
前記複数の第２中継装置のうちの前記他の電波を受信した中継装置が、前記ヘルプＩＤを示す更に他の電波を出力ステップと、
前記複数の第１中継装置のうちの前記更に他の電波を受信した中継装置が、前記公衆回線網を介して前記センター装置に前記ヘルプＩＤを送信するステップ
とを更に具備する近隣セキュリティ方法。
【請求項３８】
請求項３６または請求項３７のいずれかにおいて、
前記センター装置が、公衆に発令される緊急情報を収集するステップと、
前記センター装置が、前記公衆回線網を介して前記複数の第１中継装置に前記緊急情報を配信するステップと、
前記複数の第１中継装置が、前記緊急情報を表示し、電波を介して前記複数の第２中継装置に配信するステップと、
前記複数の第２中継装置が、前記緊急情報を表示するステップ
とを更に具備する近隣セキュリティ方法。
【請求項３９】
請求項３８において、
前記複数の第２中継装置が、電波を介して前記緊急情報を前記端末に配信するステップと、
前記端末が、前記緊急情報を表示するステップ
とを更に具備する近隣セキュリティ方法。
【請求項４０】
請求項３６乃至請求項３９のいずれかにおいて、
前記センター装置が、前記複数の第１中継装置にチェック指示を配信するステップと、
前記複数の第１中継装置が、前記センター装置からチェック指示を受信したときに、当該複数の第１中継装置が正常に動作するかどうかを示すチェック結果を前記センター装置に返信し、前記複数の第２中継装置に前記チェック指示を配信するステップと、
前記複数の第２中継装置が、前記複数の第１中継装置から前記チェック指示を受信したときに、当該複数の第１中継装置が正常に動作するかどうかを示すチェック結果を前記複数の第１中継装置に返信するステップと、
前記複数の第１中継装置が、前記複数の第２中継装置から受信した前記チェック結果を前記センター装置に転送するステップ
とを更に具備する近隣セキュリティ方法。
【発明の詳細な説明】
【技術分野】
【０００１】
本発明は、近隣セキュリティシステム及び近隣セキュリティ方法に関し、特に、地域のセキュリティを確保するときに利用される近隣セキュリティシステム及び近隣セキュリティ方法に関する。
【背景技術】
【０００２】
治安の悪化、犯罪の凶悪化、犯罪者の低年化が社会問題となり、セキュリティを確保することが望まれている。警備業者は、独自のコンピュータシステムを構築して、契約したユーザに安全な生活を提供している。このようなシステムは、特定の個人または企業を対象としたものであり、地域に密着したものではない。より安価に構築することができ、より安価に安全な生活を提供することができるセキュリティシステムが望まれている。
【０００３】
ユーザがそのシステムを用いて警備会社に通報して、警備員が現場に到着するまでには、概ね１５分程度かかる。複数の事件が同時期に発生したときには、警備員が駆けつけてくれる保証はない。また、犯罪が発生しても、犯人から開放されてからではないと、被害者は通報することができない。より速く誰かが現場に到着することができるシステムが望まれている。
【発明の開示】
【発明が解決しようとする課題】
【０００４】
本発明の課題は、より安価に地域のセキュリティを確保する近隣セキュリティシステム及び近隣セキュリティ方法を提供することにある。
本発明の課題は、所望の連絡先に容易に連絡することができ、より安価に地域のセキュリティを確保する近隣セキュリティシステム及び近隣セキュリティ方法を提供することにある。
本発明の課題は、より確実にボランティアを呼ぶことができ、より安価に地域のセキュリティを確保する近隣セキュリティシステム及び近隣セキュリティ方法を提供することにある。
本発明の課題は、自治体から発令された緊急情報を安価に知ることができ、より安価に地域のセキュリティを確保する近隣セキュリティシステム及び近隣セキュリティ方法を提供することにある。
本発明の課題は、システムの障害をより速く解消することができ、より安価に地域のセキュリティを確保する近隣セキュリティシステム及び近隣セキュリティ方法を提供することにある。
【課題を解決するための手段】
【０００５】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００６】
本発明による近隣セキュリティシステム（１）は、固有のヘルプＩＤを格納し、ボタン（１５、１６、１７）を有する端末（１６１、５、６）と、階層構造に配置された複数の中継装置（３−１〜３−ｎ、４−１〜４−ｍ）と、センター装置（２）とを備えている。端末（１６１、５、６）は、ボタンの操作に応答してヘルプＩＤを電波により送信する。複数の中継装置（３−１〜３−ｎ、４−１〜４−ｍ）は、それぞれ、端末（１６１、５、６）または複数の中継装置（３−１〜３−ｎ、４−１〜４−ｍ）のうちの他の中継装置から受信電波を受信したときに、複数の中継装置（３−１〜３−ｎ、４−１〜４−ｍ）のうちの更に他の中継装置またはセンター装置（２）にその受信電波が示すＩＤを送信する。さらに、複数の中継装置（３−１〜３−ｎ、４−１〜４−ｍ）の各々は、ヘルプＩＤを受信したとき、センター装置（２）からの予めの指示または転送制限回数に基づいてヘルプＩＤが階層構造内を複数のルートを介してセンター装置（２）に送信されるように、ヘルプＩＤを中継する。
【０００７】
複数の中継装置（３−１〜３−ｎ、４−１〜４−ｍ）は、公衆回線網を介してセンター装置（２）に接続される複数の第１中継装置（３−１〜３−ｎ）と、電波を介して第１中継装置（３−１〜３−ｎ）に接続される複数の第２中継装置（４−１〜４−ｍ）とを含んでいる。複数の第２中継装置（４−１〜４−ｍ）のうちの電波を受信した中継装置は、ヘルプＩＤを示す他の電波を出力し、複数の第１中継装置（３−１〜３−ｎ）のうちの他の電波を受信した中継装置は、公衆回線網を介してセンター装置（２）にヘルプＩＤを送信する。
【０００８】
センター装置（２）は、ＩＤを連絡先に対応付ける連絡先データベース（８１）を備えている。連絡先データベース（８１）を参照して、連絡先のうちのヘルプＩＤに対応するヘルプ連絡先にボタン（１５、１６、１７）の操作を通知する。
【０００９】
複数の第２中継装置（４−１〜４−ｍ）のうちの電波を受信した中継装置は、ヘルプＩＤを示す他の電波を出力し、複数の第２中継装置（４−１〜４−ｍ）のうちの他の電波を受信した中継装置は、ヘルプＩＤを示す更に他の電波を出力し、複数の第１中継装置（３−１〜３−ｎ）のうちの更に他の電波を受信した中継装置は、公衆回線網（７）を介してセンター装置（２）にヘルプＩＤを送信する。
【００１０】
ヘルプ連絡先は、複数の連絡先からなり、センター装置（２）は、端末（１６１、５、６）が備えている。複数ボタン（１５、１６、１７）を連絡先の種類に対応付けるボタンデータベース（８２）を更に備えている。ボタンデータベース（８２）を参照して、ヘルプ連絡先のうちのボタン（１５、１６、１７）に対応する種類の連絡先にボタン（１５、１６、１７）の操作を通知する。
【００１１】
他の端末（１６１、５、６）を更に備えている。センター装置（２）は、ボタン（１５、１６、１７）の操作を複数の中継装置（３−１〜３−ｎ、４−１〜４−ｍ）に配信し、複数の中継装置（３−１〜３−ｎ、４−１〜４−ｍ）は、電波を介してボタン（１５、１６、１７）の操作を他の端末（１６１、５、６）に配信する。
【００１２】
センター装置（２）は、複数の中継装置（３−１〜３−ｎ、４−１〜４−ｍ）がそれぞれ配置される位置を記録する中継装置データベース（８３）を備えている。中継装置データベース（８３）を参照して、複数の中継装置（３−１〜３−ｎ、４−１〜４−ｍ）のうちの電波を受信した中継装置の位置に基づいて端末（１６１、５、６）が配置される端末位置を推測し、その端末位置をヘルプ連絡先に更に通知する。
【００１３】
端末（１６１、５、６）は、第１電波を介してヘルプＩＤを出力し、第１電波より電波強度が小さい第２電波を介してヘルプＩＤを出力する。このとき、センター装置（２）は、中継装置データベース（８３）を参照して、複数の中継装置（３−１〜３−ｎ、４−１〜４−ｍ）のうちの第１電波を受信した中継装置の位置と複数の中継装置のうちの第２電波を受信した中継装置の位置とに基づいて端末位置を推測する。
【００１４】
センター装置（２）は、その端末位置を複数の中継装置（３−１〜３−ｎ、４−１〜４−ｍ）に配信し、複数の中継装置（３−１〜３−ｎ、４−１〜４−ｍ）は、その端末位置を表示し、電波を介してその端末位置を他の端末（１６１、５、６）に配信し、他の端末（１６１、５、６）は、その端末位置を表示する。
【００１５】
センター装置（２）は、ボランティアの連絡先を記録する守護者データベース（８４）を備えている。守護者データベース（８４）を参照して、連絡先にボタン（１５、１６、１７）の操作を通知する。守護者データベース（８４）は、連絡先を時間帯に更に対応付けている。このとき、センター装置（２）は、守護者データベース（８４）を参照して、その時間帯にのみその連絡先にボタンの操作を通知する。
【００１６】
センター装置（２）は、公衆に発令される緊急情報を収集し、公衆回線網（７）を介して複数の第１中継装置（３−１〜３−ｎ）に緊急情報を配信し、複数の第１中継装置（３−１〜３−ｎ）は、緊急情報を表示し、電波を介して複数の第２中継装置（４−１〜４−ｍ）に配信し、複数の第２中継装置（４−１〜４−ｍ）は、緊急情報を表示する。
【００１７】
複数の第２中継装置（４−１〜４−ｍ）は、電波を介して緊急情報を端末（１６１、５、６）に配信し、端末（１６１、５、６）は、緊急情報を表示する。
【００１８】
センター装置（２）は、複数の第１中継装置（３−１〜３−ｎ）にチェック指示を配信し、複数の第１中継装置（３−１〜３−ｎ）は、センター装置（２）からチェック指示を受信したときに、当該複数の第１中継装置（３−１〜３−ｎ）が正常に動作するかどうかを示すチェック結果をセンター装置（２）に返信し、複数の第２中継装置（４−１〜４−ｍ）にチェック指示を配信し、複数の第２中継装置（４−１〜４−ｍ）は、複数の第１中継装置（３−１〜３−ｎ）からチェック指示を受信したときに、当該複数の第１中継装置（３−１〜３−ｎ）が正常に動作するかどうかを示すチェック結果を複数の第１中継装置（３−１〜３−ｎ）に返信し、複数の第１中継装置（３−１〜３−ｎ）は、複数の第２中継装置（４−１〜４−ｍ）から受信したチェック結果をセンター装置（２）に転送する。
【００１９】
本発明による端末（１６１、５、６）は、本発明による近隣セキュリティシステム（１）に適用されているものである。本発明による端末（６）は複数の電子機器がケースに収納される端末本体（２０１）と、端末本体（２０１）から突出している輪（２０２）とを備えている。このとき、端末（６）は、輪（２０２）にストラップ（２０３）を取り付けることができ、ユーザは、そのストラップ（２０３）を用いて容易に端末（６）を携帯することができる。その輪（２０２）は、導体から形成され、電波を発振するアンテナに用いられる。端末（６）は、輪（２０２）をアンテナに兼用することにより、電波の放射効率（感度）をよくしつつ、端末（６）の端末本体（２０１）を小型化することができる。
【００２０】
輪（２０２）は、端末本体（２０１）から引かれることを検出し、ボタン（１５）として用いられる。ユーザは、たとえば、ストラップ（２０３）を首にかけて端末（６）を携帯しているときに、端末（６）の端末本体（２０１）を下に引っ張ることにより容易にボタン（１５）を操作することができる。
【００２１】
本発明による端末（６）は、電話回線網を介してその電話回線網に接続される電話機と通話する機能を備えていることが好ましい。本発明による端末（６）は、その電話回線網に接続される所定の装置（２）から通信を要求されたときに、着信音を鳴らさないで、検出された音を電話回線網を介して所定の装置（２）に送信することが好ましい。
【００２２】
本発明による端末（６）は、センタ装置（２）から所定の情報を受信し、かつ、所定の操作がされたときに、電波の出力を停止することが好ましい。
【００２３】
本発明による端末（１６１、５、６）は、ボタン（１７）の操作に応答して警報音を発するブザーを更に備えている。本発明による端末（１６１、５、６）は、固有のヘルプＩＤを示す電波の受信に応答してヘルプ電波を出力することが好ましい。本発明による中継装置（３−ｉ、４−ｊ）は、本発明による近隣セキュリティシステム（１）に適用されているものである。本発明による中継装置（３−ｉ）は、端末（１６１、５、６）の機能を更に有し、端末（１６１、５、６）と兼用されることが好ましい。
【００２４】
本発明による近隣セキュリティ方法は、固有のヘルプＩＤを格納し、ボタン（１５、１６、１７）を有する端末（１６１、５、６）と、階層構造に配置された複数の中継装置（３−１〜３−ｎ、４−１〜４−ｍ）と、センター装置（２）とを備えている近隣セキュリティシステム（１）により実行される。本発明による近隣セキュリティ方法は、端末（１６１、５、６）が、ボタン（１５、１６、１７）の操作に応答してヘルプＩＤを電波により送信するステップと、複数の中継装置（３−１〜３−ｎ、４−１〜４−ｍ）の各々が、ヘルプＩＤを受信したとき、ヘルプＩＤが階層構造内を複数のルートを介してセンター装置（２）に送信されるように、ヘルプＩＤを中継するステップとを備えている。
【００２５】
複数の中継装置（３−１〜３−ｎ、４−１〜４−ｍ）は、公衆回線網（７）を介してセンター装置（２）に接続される複数の第１中継装置（３−１〜３−ｎ）と、電波を介して第１中継装置（３−１〜３−ｎ）に接続される複数の第２中継装置（４−１〜４−ｍ）とを含んでいる。本発明による近隣セキュリティ方法は、複数の第２中継装置（４−１〜４−ｍ）のうちの電波を受信した中継装置が、ヘルプＩＤを示す他の電波を出力するステップと、複数の第１中継装置（３−１〜３−ｎ）のうちの他の電波を受信した中継装置は、公衆回線網を介してセンター装置（２）にヘルプＩＤを送信するステップとを更に備えている。
【００２６】
センター装置（２）は、ＩＤを連絡先に対応付ける連絡先データベース（８１）を備えている。本発明による近隣セキュリティ方法は、センター装置（２）が、連絡先データベース（８１）を参照して、連絡先のうちのヘルプＩＤに対応するヘルプ連絡先にボタン（１５、１６、１７）の操作を通知するステップをさらに備えている。
【００２７】
本発明による近隣セキュリティ方法は、複数の中継装置（３−１〜３−ｎ、４−１〜４−ｍ）は、公衆回線網（７）を介してセンター装置（２）に接続される複数の第１中継装置（３−１〜３−ｎ）と、電波を介して第１中継装置（３−１〜３−ｎ）に接続される複数の第２中継装置（４−１〜４−ｍ）とを含んでいる。更に、複数の第２中継装置（４−１〜４−ｍ）のうちの電波を受信した中継装置が、ヘルプＩＤを示す他の電波を出力するステップと、複数の第１中継装置（３−１〜３−ｎ）のうちの他の電波を受信した中継装置が、公衆回線網（７）を介してセンター装置（２）にヘルプＩＤを送信するステップとを備えている。
【００２８】
本発明による近隣セキュリティ方法は、複数の第２中継装置（４−１〜４−ｍ）のうちの電波を受信した中継装置が、ヘルプＩＤを示す他の電波を出力ステップと、複数の第２中継装置（４−１〜４−ｍ）のうちの他の電波を受信した中継装置が、ヘルプＩＤを示す更に他の電波を出力ステップと、複数の第１中継装置（３−１〜３−ｎ）のうちの更に他の電波を受信した中継装置が、公衆回線網（７）を介してセンター装置（２）にヘルプＩＤを送信するステップとを更に備えている。
【００２９】
ヘルプ連絡先は、複数の連絡先からなり、センター装置（２）は、端末（１６１、５、６）が備えている複数ボタン（１５、１６、１７）を連絡先の種類に対応付けるボタンデータベース（８２）を更に備えている。このとき、本発明による近隣セキュリティ方法は、センター装置（２）が、ボタンデータベース（８２）を参照して、ヘルプ連絡先のうちのボタン（１５、１６、１７）に対応する種類の連絡先にボタン（１５、１６、１７）の操作を通知するステップを更に備えている。
【００３０】
近隣セキュリティシステムは、他の端末（１６１、５、６）を更に備えている。このとき、本発明による近隣セキュリティ方法は、更に、センター装置（２）が、ボタン（１５、１６、１７）の操作を複数の中継装置（３−１〜３−ｎ、４−１〜４−ｍ）に配信するステップと、複数の中継装置（３−１〜３−ｎ、４−１〜４−ｍ）が、電波を介してボタン（１５、１６、１７）の操作を他の端末（１６１、５、６）に配信するステップとを備えている。
【００３１】
センター装置（２）は、複数の中継装置（３−１〜３−ｎ、４−１〜４−ｍ）がそれぞれ配置される位置を記録する中継装置データベース（８３）を備えている。このとき、本発明による近隣セキュリティ方法は、更に、センター装置（２）が、中継装置データベース（８３）を参照して、複数の中継装置（３−１〜３−ｎ、４−１〜４−ｍ）のうちの電波を受信した中継装置の位置に基づいて端末（１６１、５、６）が配置される端末位置を推測するステップと、センター装置（２）が、端末位置をヘルプ連絡先に更に通知するステップとを備えている。
【００３２】
端末（１６１、５、６）は、第１電波を介してヘルプＩＤを出力し、第１電波より電波強度が小さい第２電波を介してヘルプＩＤを出力する。このとき、センター装置（２）は、中継装置データベース（８３）を参照して、複数の中継装置（３−１〜３−ｎ、４−１〜４−ｍ）のうちの第１電波を受信した中継装置の位置と複数の中継装置のうちの第２電波を受信した中継装置の位置とに基づいて端末位置を推測する。
【００３３】
本発明による近隣セキュリティ方法は、センター装置（２）が、端末位置を複数の中継装置（３−１〜３−ｎ、４−１〜４−ｍ）に配信するステップと、複数の中継装置（３−１〜３−ｎ、４−１〜４−ｍ）が、端末位置を表示し、電波を介して端末位置を他の端末（１６１、５、６）に配信するステップと、他の端末（１６１、５、６）が、端末位置を表示するステップとを更に備えている。
【００３４】
センター装置（２）は、ボランティアの連絡先を記録する守護者データベース（８４）を備えている。このとき、本発明による近隣セキュリティ方法は、更に、守護者データベース（８４）を参照して、連絡先にボタン（１５、１６、１７）の操作を通知するステップを備えている。守護者データベース（８４）は、連絡先を時間帯に更に対応付けている。このとき、センター装置（２）は、守護者データベース（８４）を参照して、その時間帯にのみその連絡先にボタンの操作を通知する。
【００３５】
本発明による近隣セキュリティ方法は、センター装置（２）が、公衆に発令される緊急情報を収集するステップと、センター装置（２）が、公衆回線網（７）を介して複数の第１中継装置（３−１〜３−ｎ）に緊急情報を配信するステップと、複数の第１中継装置（３−１〜３−ｎ）が、緊急情報を表示し、電波を介して複数の第２中継装置（４−１〜４−ｍ）に配信するステップと、複数の第２中継装置（４−１〜４−ｍ）が、緊急情報を表示するステップとを更に備えている。
【００３６】
本発明による近隣セキュリティ方法は、複数の第２中継装置（４−１〜４−ｍ）が、電波を介して緊急情報を端末（１６１、５、６）に配信するステップと、端末（１６１、５、６）が、緊急情報を表示するステップとを更に備えている。
【００３７】
本発明による近隣セキュリティ方法は、センター装置（２）が、複数の第１中継装置（３−１〜３−ｎ）にチェック指示を配信するステップと、複数の第１中継装置（３−１〜３−ｎ）が、センター装置（２）からチェック指示を受信したときに、当該複数の第１中継装置（３−１〜３−ｎ）が正常に動作するかどうかを示すチェック結果をセンター装置（２）に返信し、複数の第２中継装置（４−１〜４−ｍ）にチェック指示を配信するステップと、複数の第２中継装置（４−１〜４−ｍ）が、複数の第１中継装置（３−１〜３−ｎ）からチェック指示を受信したときに、当該複数の第１中継装置（３−１〜３−ｎ）が正常に動作するかどうかを示すチェック結果を複数の第１中継装置（３−１〜３−ｎ）に返信するステップと、複数の第１中継装置（３−１〜３−ｎ）が、複数の第２中継装置（４−１〜４−ｍ）から受信したチェック結果をセンター装置（２）に転送するステップとを更に備えている。
【発明の効果】
【００３８】
本発明による近隣セキュリティシステム及び近隣セキュリティ方法は、より安価に地域のセキュリティを確保することができる。
【発明を実施するための最良の形態】
【００３９】
図面を参照して、本発明による近隣セキュリティシステムの実施の形態を説明する。その近隣セキュリティシステム１は、図１に示されているように、複数の情報処理装置（コンピュータ）が階層化されて、互いに情報を伝送することができるように接続されている。その複数の情報処理装置は、センター装置２とＧＭ送受信機３−１〜３−ｎ（ｎ＝２，３，４，…）とＭＳ送受信機４−１〜４−ｍ（ｍ＝２，３，４，…）とシニア端末５とキッズ端末６と一般端末１６１とから形成されている。シニア端末５とキッズ端末６と一般端末１６１とは、近隣セキュリティシステム１に複数が設けられている。
【００４０】
センター装置２は、近隣セキュリティシステム１の管理業者により使用される。その管理業者としては、民間業者、区市町村に例示される地方公共団体、ＷＰＯ等が例示される。その複数の情報処理装置は、区市町村に例示される地域に分散されて配置されている。たとえば、ＧＭ送受信機３−１〜３−ｎは、それぞれ、その地域にある複数の町内会の町内会長の住宅に設置され、その地域にある交番に設置される。ＭＳ送受信機４−１〜４−ｍは、それぞれ、その地域に住む一部の住民の住民宅に設置され、その住民により携帯されることもできる。シニア端末５は、それぞれ、その地域に一人暮しする老人に携帯される。キッズ端末６は、その地域に住む児童またはその地域の学校に通学する児童に携帯され、または、その地域に住む女性またはその地域の職場に通勤する女性に携帯される。一般端末１６１は、その地域にいるボランティアに携帯される。
【００４１】
センター装置２とＧＭ送受信機３−１〜３−ｎとは、インターネット７を介して双方向に情報を伝送することができるように接続されている。このとき、センター装置２は、その地域以外の任意の場所に設置されることもできる。ＧＭ送受信機３−ｉ（ｉ＝１，２，３，…，ｎ）とＭＳ送受信機４−１〜４−ｍのうちの一部とは、電波８を介して双方向に情報を伝送することができるように接続されている。ＭＳ送受信機４−１〜４−ｍは、電波８を介して、互いに双方向に情報を伝送することができるように接続されている。なお、ＧＭ送受信機３−１〜３−ｎとＭＳ送受信機４−１〜４−ｍとは、有線により互いに双方向に情報を伝送することができるように接続されることもできる。ＭＳ送受信機４−１〜４−ｍは、有線により互いに双方向に情報を伝送することができるように接続されることもできる。
【００４２】
ＭＳ送受信機４−ｊ（ｊ＝１，２，３，…，ｍ）は、電波９を介して、シニア端末５から出力される情報を受信することができるようにシニア端末５に接続されている。ＭＳ送受信機４−ｊは、キッズ端末６から出力される情報を受信することができるようにキッズ端末６に接続されている。ＭＳ送受信機４−ｊは、一般端末１６１から出力される情報を受信することができるように一般端末１６１に接続されている。電波８、９としては、無線ＬＡＮに利用されている周波数帯域の電波が例示され、ＩＥＥＥ８０２．１１ｂにより規定される電波が例示される。このような電波８によれば、通信する２つの送受信機は、間隔が屋内で約１００ｍ以内、屋外で約３００ｍ以内であるときに、通信可能である。ＭＳ送受信機４−１〜４−ｍがより多く設置することができるときには、電波８による通信可能範囲をより狭く約５０ｍ以内に設定することができる。
【００４３】
近隣セキュリティシステム１は、さらに、警察１６２と病院１６３と自治体１６４とに接続されている。警察１６２と病院１６３と自治体１６４とは、インターネット７を介してセンター装置２と通信可能に接続されている。自治体１６４は、地震などの災害が発生したときに、その災害を詳細に示す緊急情報を各端末にインターネット７を介して送信する。
【００４４】
図２は、一般端末１６１を示している。一般端末１６１は、一般端末本体１０と入力装置１１と電源装置１２とアンテナ１３とディスプレイ１４とを備えている。入力装置１１は、緊急ボタン１５とナースコールボタン１６とヘルプボタン１７とを備えている。一般端末１６１を携帯するユーザは、たとえば、住宅に不審者が侵入したときに一般端末１６１の緊急ボタン１５を押下する。そのユーザは、持病の発作が発生したときに、ナースコールボタン１６を押下する。そのユーザは、近隣の住民に手伝って欲しいことが発生したときに、ヘルプボタン１７を押下する。電源装置１２は、電池を備え、その電池が生成する直流電力を一般端末本体１０に供給する。その電池は、通常使用で一般端末１６１を電池交換なしに２〜３年間使用することができるようにすることが好ましい。しかし、電池の容量が大きくなりすぎる場合には、小型の電池を使用してもよい。アンテナ１３は、一般端末本体１０により生成された情報を電波に変換して出力する。
【００４５】
一般端末本体１０は、クロック回路２１とＥＥＰＲＯＭ２２とＲＡＭ２３とホストインターフェースハードウェア２４とエンベデッドＣＰＵ２５とメディアアクセスコントローラ２６とベースバンドプロセッサ２７とＲＦ２８とを備えている。クロック回路２１は、ＥＥＰＲＯＭ２２とＲＡＭ２３とホストインターフェースハードウェア２４とエンベデッドＣＰＵ２５とメディアアクセスコントローラ２６とベースバンドプロセッサ２７とＲＦ２８とに２２ＭＨｚのクロック信号を供給する。ＥＥＰＲＯＭ２２は、電気的に記録された情報を消去できるようにした不揮発性半導体メモリである。ＥＥＰＲＯＭ２２は、電波を介して情報を伝送する動作に必要である情報を記録して、その情報をメディアアクセスコントローラ２６の要求によりメディアアクセスコントローラ２６に出力する。ＥＥＰＲＯＭ２２は、さらに、一般端末１６１を識別するＩＤを記録し、そのＩＤをエンベデッドＣＰＵ２５の要求によりエンベデッドＣＰＵ２５に出力する。ＲＡＭ２３は、エンベデッドＣＰＵ２５により利用される情報を一時的に記録する。ホストインターフェースハードウェア２４は、入力装置１１に入力される情報をエンベデッドＣＰＵ２５により利用可能な信号に変換する。ホストインターフェースハードウェア２４は、さらに、エンベデッドＣＰＵ２５により生成された画面をディスプレイ１４に表示可能な信号に変換して出力する。エンベデッドＣＰＵ２５は、一般端末１６１にインストールされているコンピュータプログラムを実行し、入力装置１１と電源装置１２とアンテナ１３とディスプレイ１４とを制御する。メディアアクセスコントローラ２６は、エンベデッドＣＰＵ２５により生成される情報を、電波を介して伝送することに適したフォーマットに変換する。メディアアクセスコントローラ２６は、アンテナ１３により受信したフレームをオペランド解析してエンベデッドＣＰＵ２５により処理可能なフォーマットの情報に変換する。ベースバンドプロセッサ２７は、メディアアクセスコントローラ２６により生成された情報をベースバンド処理が可能な周波数帯域に変換してＲＦ２８に出力する。ＲＦ２８は、ベースバンドプロセッサ２７により生成された信号に基づいて、エンベデッドＣＰＵ２５により生成される情報を示す電波をアンテナ１３に出力させる。ＲＦ２８は、さらに、アンテナ１３により受信したフレームから雑信号を除去してメディアアクセスコントローラ２６に出力する。
【００４６】
ＲＡＭ２３とホストインターフェースハードウェア２４とエンベデッドＣＰＵ２５とメディアアクセスコントローラ２６とベースバンドプロセッサ２７は、１つの半導体チップ２９に搭載されている。このような半導体チップは、周知であり、たとえば、テキサス・インスツルメンツ社製のＴＮＥＴＷ１１００Ｂが例示される。
【００４７】
キッズ端末６とシニア端末５とは、一般端末１６１と同様に構成されている。なお、キッズ端末６とシニア端末５とは、電波の受信機能を除く構造が適用されることもできる。シニア端末５は、さらに、ディスプレイ１４を除く構造が適用されることもできる。キッズ端末６は、さらに、ディスプレイ１４を除く構造が適用されることもでき、入力装置１１として緊急ボタン１５のみを備える構造を適用されることもできる。このようなキッズ端末６とシニア端末５とは、製造コストが安価であり好ましい。キッズ端末６は、さらに、ブザーを備えている。そのブザーは、緊急ボタン１５が押下されることに応答して、警報音を発する。このとき、キッズ端末６は、防犯ブザーとして利用されることもできる。
【００４８】
図３は、一般端末１６１、シニア端末５またはキッズ端末６にインストールされるコンピュータプログラムを示している。そのコンピュータプログラムは、ＩＤデータベース１５１とボタン監視部１５２とヘルプ電波出力部１５３とタイマ部１５４と電波出力計数部１５５とを備えている。ＩＤデータベース１５１は、シニア端末５またはキッズ端末６のユーザの氏名とを記録している。ボタン監視部１５２は、緊急ボタン１５とナースコールボタン１６とヘルプボタン１７とが押下されたかどうかを常時監視する。
【００４９】
ヘルプ電波出力部１５３は、ボタン監視部１５２によりボタンの押下が検出されたときに、所定の期間に所定の回数だけヘルプ電波を出力する。そのヘルプ電波は、複数種類の電波強度で出力される。そのヘルプ電波は、押下されたボタンとＥＥＰＲＯＭ２２に記録されているＩＤとＩＤデータベース１５１に記録されているユーザの氏名と出力される電波強度とを示している。ヘルプ電波出力部１５３は、さらに、センター装置２から送信される情報を受信し、かつ、一般端末１６１、シニア端末５またはキッズ端末６に所定の操作が施されたときに、そのヘルプ電波を停止する。タイマ部１５４は、ボタン監視部１５２によりボタンの押下が検出されてからの時間を測定し、その測定結果に基づいて所定のタイミングを示す信号を出力する。電波出力計数部１５５は、ヘルプ電波出力部１５３によるヘルプ電波の出力の回数を計数し、その回数を出力する。
【００５０】
すなわち、タイマ部１５４は、ボタン監視部１５２によりボタンの押下が検出されたタイミングと、その直後のタイミングから１秒おきの複数のタイミングとを出力する。ヘルプ電波出力部１５３は、タイマ部１５４により出力されたタイミングでヘルプ電波を出力する。ヘルプ電波出力部１５３は、電波出力計数部１５５によりそのヘルプ電波の出力が５回を計数するまで、ヘルプ電波を繰り返して出力する。このような電波の出力によれば、異なる２つのシニア端末５が概ね同時にボタンを押下されたときに、そのヘルプ電波が重なって受信機に受信されて適切に検波し復調することができなくなる確率が小さくなり好ましい。
【００５１】
図４は、キッズ端末６がボタンの押下に応答して電波を発信するタイミングを示している。キッズ端末６がその電波を出力する期間は、第１期間１４１と第２期間１４２と第３期間１４３とから形成されている。第１期間１４１は、緊急ボタン１５が押下された時刻１４４から１時間後の時刻１４５までの期間である。第２期間１４２は、時刻１４５から、時刻１４４から１日後の時刻１４５までの期間である。第３期間１４３は、時刻１４５以降の期間である。
【００５２】
すなわち、キッズ端末６にインストールされるタイマ部１５４は、ボタン監視部１５２により緊急ボタン１５の押下が検出された時刻１４４から１時間後の時刻１４５を検出し、時刻１４４から１日後の時刻１４６を検出して、第１期間１４１と第２期間１４２と第３期間１４３とを設定する。タイマ部１５４は、さらに、第１期間１４１に５分間隔の複数のタイミングを示す信号を出力し、第２期間１４２に３０分間隔の複数のタイミングを示す信号を出力し、第３期間１４３に６０分間隔の複数のタイミングを示す信号を出力する。キッズ端末６にインストールされるヘルプ電波出力部１５３は、ボタン監視部１５２により緊急ボタン１５の押下が検出されたときに、ＭＳ送受信機４−１〜４−ｍにキッズ端末６のＩＤとユーザの氏名とを通知する通信を試行する。この試行は、通信が成立するまで繰り返して実行される。すなわち、ヘルプ電波出力部１５３は、タイマ部１５４により出力されたタイミングで複数のヘルプ電波を出力する。その複数のヘルプ電波は、強ヘルプ電波と中ヘルプ電波と弱ヘルプ電波とから形成されている。その強ヘルプ電波は、所定の電波強度で出力される。その中ヘルプ電波は、その強ヘルプ電波が出力された直後に、その強ヘルプ電波が出力される電波強度より小さい電波強度で出力される。その弱ヘルプ電波は、その中ヘルプ電波が出力された直後に、その中ヘルプ電波が出力される電波強度より小さい電波強度で出力される。このとき、ヘルプ電波出力部１５３は、センター装置２から送信される情報を受信し、かつ、キッズ端末６に特殊な操作が実施されるまで、ヘルプ電波を繰り返して出力する。このような電波の出力は、キッズ端末６の電池の消耗を少なくする点で有効である。
【００５３】
なお、シニア端末５またはキッズ端末６にインストールされるコンピュータプログラムは、ハードウェアにより構成することができる。そのハードウェアは、ソフトウェアであるＩＤデータベース１５１とボタン監視部１５２とヘルプ電波出力部１５３とタイマ部１５４と電波出力計数部１５５とが示す複数の動作をそれぞれ実行する複数の電気回路から形成される。すなわち、シニア端末５またはキッズ端末６は、その複数の電気回路を備えることにより、その複数の動作を実行する。
【００５４】
図５は、ＭＳ送受信機４−ｊを示している。ＭＳ送受信機４−ｊは、ＭＳ送受信機本体１０′と入力装置３１と電源装置３２とアンテナ３３とディスプレイ３４とを備えている。入力装置３１は、緊急ボタン３５とナースコールボタン３６とヘルプボタン３７と出動ボタン３８を備えている。ＭＳ送受信機４−ｊのユーザは、たとえば、住宅に不審者が侵入したときに、緊急ボタン３５を押下する。そのユーザは、持病の発作が発生したときに、ナースコールボタン３６を押下する。そのユーザは、近隣の住民に手伝って欲しいことが発生したときに、ヘルプボタン３７を押下する。そのユーザは、ヘルプボタン１７が押下されたシニア端末５のところに出動するときに、出動ボタン３８を押下する。電源装置３２は、電池とＡＣ／ＤＣコンバータとを備え、その電池が生成する直流電力をＭＳ送受信機本体１０′に供給し、または、そのＡＣ／ＤＣコンバータにより電気事業者から公衆に提供される交流電力から変換された直流電力をＭＳ送受信機本体１０′に供給する。ＭＳ送受信機４−ｊは、その電池から直流電力が供給されているときに、ユーザにより携帯されることができる。アンテナ３３は、ＭＳ送受信機本体１０′により生成された情報を示す電気信号を電波に変換して発振し、電波をＭＳ送受信機本体１０′に利用可能である電気信号を変換してＭＳ送受信機本体１０′に出力する。ディスプレイ３４は、ＭＳ送受信機本体１０′により生成された画像を表示する。ディスプレイ３４としては、ＬＣＤが例示される。
【００５５】
ＭＳ送受信機本体１０′は、クロック回路２１′とＥＥＰＲＯＭ２２′とＲＡＭ２３′とホストインターフェースハードウェア２４′とエンベデッドＣＰＵ２５′とメディアアクセスコントローラ２６′とベースバンドプロセッサ２７′とＲＦ２８′とを備えている。ＭＳ送受信機本体１０′は、一般端末本体１０と同等のものであり、ＭＳ送受信機本体１０′が備えるこれらの電気回路は、それぞれ、対応する一般端末本体１０の電気回路と同様に動作する。
【００５６】
図６は、ＭＳ送受信機４−ｊにインストールされるコンピュータプログラムを示している。そのコンピュータプログラムは、ヘルプ電波受信部４１と中継電波出力部４２と転送部４３と人数判別結果受信部４４と加勢部４５と警報部４６とチェック部４７と緊急情報表示部４８とから形成されている。
【００５７】
ヘルプ電波受信部４１は、シニア端末５またはキッズ端末６から出力されるヘルプ電波を受信して、そのヘルプ電波が示すシニア端末５またはキッズ端末６のＩＤとユーザの氏名と押下されたボタンと電波強度とを導出する。中継電波出力部４２は、ヘルプ電波受信部４１によりヘルプ電波が受信されたことに応答して、中継電波を出力する。その中継電波は、そのヘルプ電波が示す情報を示している。その中継電波は、さらに、出動ボタン３８が押下されたときに、ＭＳ送受信機４−ｊのＩＤを示している。その中継電波は、さらに、転送回数として１を示している。
【００５８】
転送部４３は、センター装置２から指示される所定の回数を記録している。転送部４３は、他のＭＳ送受信機４−ｊ′（ｊ＝１，２，３，…，ｍ、かつ、ｊ′≠ｊ）から出力される中継電波を受信する。その受信された中継電波は、ヘルプ電波の情報と、そのヘルプ電波を受信したＭＳ送受信機のＩＤと、出動ボタン３８が押下されたＭＳ送受信機４−ｊのＩＤと、転送回数とを示している。転送部４３は、次いで、受信された中継電波が示す転送回数がその所定の回数未満であるときに、他の中継電波を出力する。その出力される中継電波は、受信された中継電波が示すヘルプ電波の情報を示している。その出力される中継電波は、さらに、受信された中継電波が示す出動ボタン３８が押下されたＭＳ送受信機のＩＤを示し、ＭＳ送受信機４−ｊの出動ボタン３８が押下されたときに、ＭＳ送受信機４−ｊのＩＤをさらに示している。その出力される中継電波は、さらに、転送回数として受信された中継電波が示す転送回数に１を加算した値を示している。
【００５９】
人数判別結果受信部４４は、センター装置２により判別された出動する人の人数の適否をＧＭ送受信機３−ｉから受信する。加勢部４５は、人数判別結果受信部４４によりその人数が不適であることが受信されたときに、他のＭＳ送受信機４−ｊ′にヘルプ電波受信部４１により導出されたＩＤと氏名とボタンとを送信する。警報部４６は、ヘルプ電波受信部４１によりシニア端末５またはキッズ端末６または他のＭＳ送受信機４−ｊ′から出力される電波を受信したときに、警報音を発するとともに、その電波が示すＩＤと氏名とボタンとをディスプレイ３４に表示する。
【００６０】
チェック部４７は、ＧＭ送受信機３−ｉからチェック指示を受信したときに、ＭＳ送受信機４−ｊが正常に動作するかどうかをチェックして、そのチェック結果をＧＭ送受信機３−ｉに送信する。緊急情報表示部４８は、ＧＭ送受信機３−ｉから緊急情報を受信したときに、警報音を発するとともに、その緊急情報をディスプレイ３４に表示する。
【００６１】
ＭＳ送受信機４−ｊは、シニア端末５にインストールされているコンピュータプログラムがさらにインストールされている。すなわち、ＭＳ送受信機４−ｊは、シニア端末５と同様に動作することができる。
【００６２】
図７は、ＧＭ送受信機３−ｉを示している。ＧＭ送受信機３−ｉは、ＧＭ送受信機本体１０″と入力装置５１と電源装置５２とアンテナ５３とディスプレイ５４とを備えている。入力装置５１は、緊急ボタン５５とナースコールボタン５６とヘルプボタン５７と出動ボタン５８を備えている。ＧＭ送受信機３−ｉのユーザは、たとえば、住宅に不審者が侵入したときに、緊急ボタン５５を押下する。そのユーザは、持病の発作が発生したときに、ナースコールボタン５６を押下する。そのユーザは、近隣の住民に手伝って欲しいことが発生したときに、ヘルプボタン５７を押下する。そのユーザは、ヘルプボタン１７が押下されたシニア端末５のところに出動するときに、出動ボタン５８を押下する。電源装置５２は、電池とＡＣ／ＤＣコンバータとを備え、その電池が生成する直流電力をＧＭ送受信機本体１０″に供給し、または、そのＡＣ／ＤＣコンバータにより電気事業者から公衆に提供される交流電力から変換された直流電力をＧＭ送受信機本体１０″に供給する。このとき、ＧＭ送受信機３−ｉは、電気事業者から提供される交流電力が停電したときに、その電池から供給される直流電力を用いて動作し、常に動作することができる。アンテナ５３は、ＧＭ送受信機本体１０″により生成された情報を示す電気信号を電波に変換して発振し、電波をＧＭ送受信機本体１０″に利用可能である電気信号を変換してｒｆ２８に出力する。ディスプレイ５４は、ＧＭ送受信機本体１０″により生成された画像を表示する。ディスプレイ５４としては、ＬＣＤが例示される。
【００６３】
ＧＭ送受信機本体１０″は、クロック回路２１″とＥＥＰＲＯＭ２２″とＲＡＭ２３″とホストインターフェースハードウェア２４″とエンベデッドＣＰＵ２５″とメディアアクセスコントローラ２６″とベースバンドプロセッサ２７″とＲＦ２８″とを備えている。ＧＭ送受信機本体１０″は、一般端末本体１０と同等のものであり、ＧＭ送受信機本体１０″が備えるこれらの電気回路は、それぞれ、対応する一般端末本体１０の電気回路と同様に動作する。ここで、ホストインターフェースハードウェア２４″は、さらに、インターネット７に接続され、インターネット７を介して、エンベデッドＣＰＵ２５″により生成された情報をインターネット７に接続される情報処理装置に送信し、インターネット７に公開されている情報をエンベデッドＣＰＵ２５″に出力する。
【００６４】
図８は、ＧＭ送受信機３−ｉにインストールされるコンピュータプログラムを示している。そのコンピュータプログラムは、転送部６１とチェック部６２とから形成されている。転送部６１は、電波を介してＭＳ送受信機４−１〜４−ｍから受信した情報をセンター装置２にインターネット７を介して転送する。転送部６１は、さらに、インターネット７を介してセンター装置２から受信した情報をＭＳ送受信機４−１〜４−ｍに電波を介して転送する。チェック部６２は、インターネット７を介してセンター装置２からチェック指示を受信したときに、ＧＭ送受信機３−ｉが正常に動作するかどうかをチェックして、そのチェック結果をセンター装置２に送信する。チェック部６２は、さらに、インターネット７を介してセンター装置２からチェック指示を受信したときに、電波を介してＭＳ送受信機４−１〜４−ｍにチェック指示を送信する。緊急情報表示部６３は、ＧＭ送受信機３−ｉから緊急情報を受信したときに、警報音を発するとともに、その緊急情報をディスプレイ５４に表示する。
【００６５】
ＧＭ送受信機３−ｉは、ＭＳ送受信機４−ｊにインストールされているコンピュータプログラムまたはシニア端末５にインストールされているコンピュータプログラムがさらにインストールされている。すなわち、ＧＭ送受信機３−ｉは、ＭＳ送受信機４−ｊと同様に動作することができ、かつ、シニア端末５と同様に動作することができる。
【００６６】
図９は、センター装置２を示している。センター装置２は、ロードバランサ７１と複数のサーバ７２−１〜７２−ｋ（ｋ＝２，３，４，…）と複数の端末７３−１〜７３−ｌ（ｌ＝２，３，４，…）とを備えている。複数のサーバ７２−１〜７２−ｋは、互いに同一のコンピュータプログラムがインストールされている。ロードバランサ７１は、インターネット７と複数のサーバ７２−１〜７２−ｋとの間に介設されている。ロードバランサ７１は、サーバ７２−１〜７２−ｋのうちの１つのサーバ７２−ｓ（ｓ＝１，２，３，…，ｋ）にアクセスが集中することを防き、または、サーバ７２−ｓが障害を起こしたときに、サーバ７２−ｓを修復するためにセンター装置２から分離する。端末７３−ｔ（ｔ＝１，２，３，…，ｌ）は、サーバ７２−１〜７２−ｋに接続されている。端末７３−ｔは、センター装置２の管理者により操作されて、サーバ７２−１〜７２−ｋにより生成された情報を表示し、または、サーバ７２−１〜７２−ｋに情報を入力する。
【００６７】
図１０は、センター装置２にインストールされるコンピュータプログラム、すなわち、各サーバ７２−ｓにインストールされるコンピュータプログラムを示している。そのコンピュータプログラムは、連絡先データベース８１とボタンデータベース８２と登録者データベース８３と守護者データベース８４と地図データベース８５とヘルプ収集部８６と人数判別部８７と判別結果配信部８８と位置推測部８９と位置配信部９０と通知部９１とチェック部９２と緊急情報収集部９３と緊急情報配信部９４と料金精算部９５と転送制限指示部９６とから形成されている。
【００６８】
連絡先データベース８１は、シニア端末５とキッズ端末６とのユーザにより設定された連絡先が記録されている。ボタンデータベース８２は、シニア端末５が備えるボタンに対応する適切な連絡先が記録されている。登録者データベース８３は、ＧＭ送受信機３−１〜３−ｎとＭＳ送受信機４−１〜４−ｍとのＩＤとユーザとを記録している。守護者データベース８４は、近隣セキュリティシステム１を利用するボランティアの連絡先を記録している。地図データベース８５は、近隣セキュリティシステム１が配置されている地域の地図を記録して、異なる２つの住所の距離を算出する。
【００６９】
ヘルプ収集部８６は、シニア端末５またはキッズ端末６から出力される電波が示すシニア端末５またはキッズ端末６のユーザとＩＤと押下されたボタンとをＧＭ送受信機３−１〜３−ｎから収集する。ヘルプ収集部８６は、さらに、ＭＳ送受信機４−１〜４−ｍがそれぞれ出動ボタン３８が押下されたかどうかをＧＭ送受信機３−１〜３−ｎから収集する。人数判別部８７は、シニア端末５のところに出動する人が所定の人数（たとえば、３人）より多いかどうかを判別する。判別結果配信部８８は、人数判別部８７により判別された判別結果をＭＳ送受信機４−ｉに配信する。
【００７０】
位置推測部８９は、キッズ端末６の位置を推測する。すなわち、位置推測部８９は、登録者データベース８３を参照して、キッズ端末６から出力されるヘルプ電波をそれぞれ受信することができたＭＳ送受信機４−１〜４−ｍの住所を抽出する。位置推測部８９は、地図データベース８５を参照して、その抽出された複数の住所が示す区画の概ね中央がキッズ端末６の位置であると推測する。
【００７１】
位置推測部８９は、さらに、登録者データベース８３を参照して、キッズ端末６から異なる電波強度で出力される複数のヘルプ電波をそれぞれ受信することができたＭＳ送受信機４−１〜４−ｍの住所を抽出し、その住所に基づいてキッズ端末６のより詳細な位置を推測する。そのキッズ端末６の詳細な位置は、強ヘルプ電波が受信されて中ヘルプ電波と弱ヘルプ電波とが受信されない位置との距離が強ヘルプ電波と中ヘルプ電波とが受信されて弱ヘルプ電波が受信されない位置との距離より大きく、強ヘルプ電波と中ヘルプ電波とが受信されて弱ヘルプ電波が受信されない位置との距離が強ヘルプ電波と中ヘルプ電波と弱ヘルプ電波との全部が受信された位置より大きい。
【００７２】
位置配信部９０は、位置推測部８９により推測された位置をＭＳ送受信機４−ｉに配信する。通知部９１は、連絡先データベース８１とボタンデータベース８２とを参照して、適切な連絡先にシニア端末５またはキッズ端末６のボタンが押されたことを通報する。通知部９１は、さらに、守護者データベース８４を参照して、出動可能なボランティアにシニア端末５またはキッズ端末６のボタンが押されたことを通報する。
【００７３】
チェック部９２は、間欠的にＧＭ送受信機３−１〜３−ｎにチェック指示を配信する。チェック部９２は、さらに、ＧＭ送受信機３−１〜３−ｎが正常に動作するかどうかを示すチェック結果をＧＭ送受信機３−１〜３−ｎからそれぞれ収集し、ＭＳ送受信機４−１〜４−ｍが正常に動作するかどうかを示すチェック結果をＭＳ送受信機４−１〜４−ｍからそれぞれ収集する。緊急情報収集部９３は、インターネット７を介して、行政から発令される緊急情報を収集する。その緊急情報は、気象に関する警報、地震に関する情報が例示される。緊急情報配信部９４は、緊急情報収集部９３により収集された緊急情報をＧＭ送受信機３−１〜３−ｎに配信する。
【００７４】
料金精算部９５は、ＧＭ送受信機３−１〜３−ｎとＭＳ送受信機４−１〜４−ｍとシニア端末５とキッズ端末６とのユーザに請求される月ごとの料金を算出する。すなわち、その料金は、機器毎に定額料金が設定される。ＧＭ送受信機３−１〜３−ｎとＭＳ送受信機４−１〜４−ｍとのユーザに関しては、シニア端末５のところに出動した回数に基づいて割引額が算出されて、その定額料金からその割引額が割り引かれて料金が算出される。料金精算部９５は、さらに、インターネット７を介して、各ユーザに請求される料金を金融期間に連絡する。その金融期間は、ＧＭ送受信機３−１〜３−ｎとＭＳ送受信機４−１〜４−ｍとシニア端末５とキッズ端末６とのユーザから徴収し、徴収された料金を近隣セキュリティシステム１の管理業者に送金する。
【００７５】
転送制限指示部９６は、ＭＳ送受信機４−１〜４−ｍが転送電波を転送することができる回数を算出する。その回数は、ＭＳ送受信機４−１〜４−ｍが出力するヘルプ電波の到達距離とＧＭ送受信機３−１〜３−ｎが配置される濃度とに基づいて算出され、任意の場所から出力された転送電波をＭＳ送受信機４−１〜４−ｍが転送することによりその転送電波がＧＭ送受信機３−１〜３−ｎに受信される確率が所定の値より大きくなる転送回数を示している。転送制限指示部９６は、さらに、ＧＭ送受信機３−１〜３−ｎを介して、算出された回数をＭＳ送受信機４−１〜４−ｍに通知する。
【００７６】
図１１は、連絡先データベース８１により記録されるテーブルを示している。そのテーブルは、対象者１０１をＩＤ１０２と連絡先とに対応付けている。その連絡先は、保護者連絡先１０３と病院１０４と警察１０５とから形成されている。対象者１０１は、シニア端末５またはキッズ端末６を携帯するユーザの氏名を示し、そのユーザを互いに識別している。ＩＤ１０２は、対象者１０１により識別されるユーザにより携帯されるシニア端末５またはキッズ端末６を互いに識別しているコードを示している。保護者連絡先１０３は、ＩＤ１０２により識別されるシニア端末５またはキッズ端末６のユーザの保護者の連絡先を示している。病院１０４は、ＩＤ１０２により識別されるシニア端末５のユーザのかかりつけの病院の連絡先を示し、または、ＩＤ１０２により識別されるシニア端末５のユーザが住む地域を管轄する消防署の連絡先を示している。警察１０５は、ＩＤ１０２により識別されるシニア端末５のユーザが住む地域を管轄する警察の連絡先を示している。
【００７７】
図１２は、ボタンデータベース８２により記録されるテーブルを示している。そのテーブルは、ボタン１１１を連絡先の種類１１３に対応付けている。ボタン１１１は、シニア端末５が備える緊急ボタン１５とナースコールボタン１６とヘルプボタン１７とを互いに識別している。連絡先の種類１１３は、ボタン１１１により識別されるボタンが押下されたときに、連絡先データベース８１により記録される連絡先シニア端末５のところに出動される適切な連絡先を示している。すなわち、連絡先の種類１１３は、ボタン１１１が緊急ボタン１５を示すときに警察を示し、ボタン１１１がナースコールボタン１６を示すときに病院を示している。
【００７８】
このとき、通知部９１は、連絡先データベース８１を参照して、シニア端末５またはキッズ端末６のＩＤに対応する連絡先を抽出する。通知部９１は、次いで、ボタンデータベース８２を参照して、抽出された連絡先のうちのシニア端末５またはキッズ端末６の押下されたボタンに対応する種類の連絡先にボタンが押されたことを通報する。
【００７９】
図１３は、登録者データベース８３により記録されるテーブルを示している。そのテーブルは、登録者１２１をＩＤ１２２と住所１２３とに対応付けている。登録者１２１は、ＧＭ送受信機３−１〜３−ｎまたはＭＳ送受信機４−１〜４−ｍを有しているユーザの氏名を示し、そのユーザを互いに識別している。ＩＤ１２２は、登録者１２１により識別されるユーザが有するＧＭ送受信機３−１〜３−ｎまたはＭＳ送受信機４−１〜４−ｍを互いに識別するコードを示している。住所１２３は、ＩＤ１２２により識別されるＧＭ送受信機３−１〜３−ｎまたはＭＳ送受信機４−１〜４−ｍが配置される住所を示している。
【００８０】
図１４は、守護者データベース８４により記録されるテーブルを示している。そのテーブルは、守護者１３１を連絡先１３２と時間帯１３３とに対応付けている。守護者１３１は、シニア端末５の緊急ボタン１５またはヘルプボタン１７が押下されたときにそのシニア端末５のところに駆けつけるボランティアの氏名を示し、そのボランティアを互いに識別している。連絡先１３２は、守護者１３１により識別されるボランティアの連絡先を示し、たとえば、そのボランティアの携帯電話機の番号を示している。時間帯１３３は、守護者１３１により識別されるボランティアが出動可能な時間帯を示している。このとき、通知部９１は、シニア端末５またはキッズ端末６のボタンが押下されたときに、守護者データベース８４を参照して、そのボタンが押下された時間に出動可能なボランティアを選択してそのボランティアに通知する。
【００８１】
本発明による近隣セキュリティ方法の実施の形態は、近隣セキュリティシステム１により実行され、転送電波の転送に関する制限をＭＳ送受信機４−１〜４−ｍに指示する動作と、シニア端末５のボタンが押下されたときの動作と、キッズ端末６のボタンが押下されたときの動作と、行政から緊急情報が発令されたときの動作と、ＧＭ送受信機３−１〜３−ｎとＭＳ送受信機４−１〜４−ｍとが正常に動作するかどうかをチェックする動作とを備えている。
【００８２】
転送電波の転送に関する制限をＭＳ送受信機４−１〜４−ｍに指示する動作では、センター装置２がまずＭＳ送受信機４−１〜４−ｍが転送電波を転送することができる回数を算出する。その回数は、ＭＳ送受信機４−１〜４−ｍが出力するヘルプ電波の到達距離とＧＭ送受信機３−１〜３−ｎが配置される濃度とに基づいて算出され、任意の場所から出力された転送電波をＭＳ送受信機４−１〜４−ｍが転送することによりその転送電波がＧＭ送受信機３−１〜３−ｎに受信される確率が所定の値より大きくなる転送回数を示している。センター装置２は、さらに、ＧＭ送受信機３−１〜３−ｎを介して、算出された回数をＭＳ送受信機４−１〜４−ｍに通知する。ＭＳ送受信機４−ｊは、センター装置２から指示されるその回数を記録する。
【００８３】
図１５は、シニア端末５のボタンが押下されたときの動作を示している。シニア端末５を携帯するユーザは、たとえば、住宅に不審者が侵入したときにシニア端末５の緊急ボタン１５を押下する。ユーザは、持病の発作が発生したときに、ナースコールボタン１６を押下する。ユーザは、近隣の住民に手伝って欲しいことが発生したときに、ヘルプボタン１７を押下する（ステップＳ１）。シニア端末５は、これらのボタンの押下に応答して、ユーザの氏名とシニア端末５を識別するＩＤと押下されたボタンの種類とを示すヘルプ電波を出力する（ステップＳ２）。
【００８４】
ＭＳ送受信機４−ｊは、シニア端末５から出力されたヘルプ電波を受信したときに、警報音を発して、そのヘルプ電波が示すユーザの氏名とシニア端末５を識別するＩＤと押下されたボタンの種類とをディスプレイ３４に表示する（ステップＳ３）。ＭＳ送受信機４−ｊのユーザは、その警報に気づいたときに、シニア端末５のユーザの氏名を参照して、そのシニア端末５のところに出動するかどうかをＭＳ送受信機４−ｊに入力する。すなわち、ＭＳ送受信機４−ｊのユーザは、そのシニア端末５のところに出動するときに、ＭＳ送受信機４−ｊの出動ボタン３８を押下する。
【００８５】
ＭＳ送受信機４−ｊは、そのヘルプ電波が示す情報と出動ボタン３８が押下されたＭＳ送受信器のＩＤと転送回数とを示す中継電波を出力する（ステップＳ４）。その転送回数は、このとき、１を示す。ＭＳ送受信機４−ｊは、他のＭＳ送受信機４−ｊ′から出力される中継電波を受信したときに、他の中継電波を出力する。このとき、ＭＳ送受信機４−ｊは、受信された中継電波が示す転送回数がセンター装置２から指示されたの回数を示すときに、中継電波を出力しない。出力される中継電波は、受信された中継電波が示す情報を示し、さらに、ＭＳ送受信機４−ｊの出動ボタン３８が押下されたかどうかを付加している。さらに、出力される中継電波が示す転送回数は、受信された中継電波が示す転送回数に１を加算した値を示している。
【００８６】
ＭＳ送受信機４−ｊは、他のＭＳ送受信機４−ｊ′から出力される中継電波を受信したときに、警報音を発して、その中継電波が示すヘルプ電波を出力したシニア端末５のユーザの氏名とそのシニア端末５を識別するＩＤとそのシニア端末５の押下されたボタンの種類とをディスプレイ３４に表示する。ＭＳ送受信機４−ｊのユーザは、その警報に気づいたときに、ＭＳ送受信機４−ｊに表示されるシニア端末５のユーザの氏名を閲覧する。このとき、ユーザは、そのシニア端末５のところに出動するときに、ＭＳ送受信機４−ｊの出動ボタン３８を押下する。ＭＳ送受信機４−ｊは、他のＭＳ送受信機４−ｊ′から出力される中継電波を受信した場合で、その中継電波が示す転送回数がセンター装置２から指示された回数未満であるときに、他の中継電波を出力する。その出力される中継電波は、受信された中継電波が示すヘルプ電波の情報を示している。その出力される中継電波は、さらに、受信された中継電波が示す出動ボタン３８が押下されたＭＳ送受信機のＩＤを示し、ＭＳ送受信機４−ｊの出動ボタン３８が押下されたときに、ＭＳ送受信機４−ｊのＩＤをさらに示している。その出力される中継電波は、さらに、転送回数として受信された中継電波が示す転送回数に１を加算した値を示している。
【００８７】
このような転送電波は、ＭＳ送受信機４−１〜４−ｍを無限に転送されることがなく、好ましい。
【００８８】
ＧＭ送受信機３−ｉは、ＭＳ送受信機４−ｊから出力された中継電波を受信したときに（ステップＳ５）、インターネット７を介してその中継電波が示す情報をセンター装置２に転送する（ステップＳ６）。ＧＭ送受信機３−ｉは、さらに、シニア端末５から出力されたヘルプ電波を受信したときにも、インターネット７を介してそのヘルプ電波が示す情報をセンター装置２に転送する。ＧＭ送受信機３−ｉは、その中継電波を受信したときに、さらに、警報音を発して、その中継電波が示すユーザの氏名とシニア端末５を識別するＩＤと押下されたボタンの種類とをディスプレイ５４に表示する。ＧＭ送受信機３−ｉのユーザは、その警報に気づいたときに、シニア端末５のユーザの氏名を参照して、そのシニア端末５のところに出動するかどうかをＧＭ送受信機３−ｉに入力する。すなわち、ＧＭ送受信機３−ｉのユーザは、そのシニア端末５のところに出動するときに、ＧＭ送受信機３−ｉの出動ボタン５８を押下する。ＧＭ送受信機３−ｉは、ユーザにより出動することが入力されたときに、受信した電波が示す情報とともに出動することをセンター装置２に送信する。
【００８９】
センター装置２は、ＧＭ送受信機３−１〜３−ｎからシニア端末５のボタンが押下されたことを受信したときに、そのシニア端末５のところに出動することが入力されたＭＳ送受信機４−１〜４−ｍとＧＭ送受信機３−１〜３−ｍとの個数を計数し、シニア端末５のところに出動する人が所定の人数より多いかどうかを判別する（ステップＳ７）。センター装置２は、インターネット７を介してその判別結果をその中継電波が示す情報を中継したＧＭ送受信機３−ｉに返信する（ステップＳ８）。
センター装置２は、連絡先データベース８１を参照して、シニア端末５またはキッズ端末６のＩＤに対応する連絡先を抽出する。センター装置２は、次いで、ボタンデータベース８２を参照して、抽出された連絡先のうちのシニア端末５の押下されたボタンに対応する種類の連絡先にボタンが押されたことを通報する（ステップＳ９）。すなわち、センター装置２は、緊急ボタン１５が押下されたときに、警察に通知し、ナースコールボタン１６が押下されたときに、かかりつけの病院に連絡し、または、消防署に救急車を手配する。センター装置２は、さらに、ＧＭ送受信機３−１〜３−ｎからシニア端末５のボタンが押下されたことを受信したときに、守護者データベース８４を参照して、ボタンが押下されたと時間に出動可能なボランティアに通知する。
【００９０】
ＧＭ送受信機３−ｉは、センター装置２から判別結果を受信したときに、電波を介してその判別結果をＭＳ送受信機４−ｊに転送する（ステップＳ１０）。ＭＳ送受信機４−ｊは、ＧＭ送受信機３−ｉから受信したその判別結果が出動する人がいないことを示しているときに（ステップＳ１１、ＹＥＳ）、シニア端末５から受信した電波が示す内容を他のＭＳ送受信機４−ｊ′に送信する（ステップＳ１２）。他のＭＳ送受信機４−ｊ′は、ＭＳ送受信機４−ｊからその電波を受信したときに、ＭＳ送受信機４−ｊがシニア端末５から出力された電波を受信したときと同様の動作（ステップＳ３、Ｓ４、Ｓ５）を実行する。すなわち、ＭＳ送受信機４−ｊ′は、警報音を発して、その電波が示すユーザの氏名とシニア端末５を識別するＩＤと押下されたボタンの種類とをディスプレイ３４に表示し、受信したユーザの氏名とシニア端末５を識別するＩＤと押下されたボタンの種類とを探索されたＧＭ送受信機３−ｉに電波を介して送信する。ＭＳ送受信機４−ｊ′のユーザは、その警報に気づいたときに、シニア端末５のユーザの氏名を参照して、そのシニア端末５のところに出動するかどうかをＭＳ送受信機４−ｊ′に入力する。ＭＳ送受信機４−ｊ′は、ユーザにより出動することが入力されたときに、その出動することを受信したユーザの氏名とシニア端末５を識別するＩＤと押下されたボタンの種類ととともにＧＭ送受信機３−ｉに電波を介して送信する。ステップＳ３〜ステップＳ１２までの動作は、出動する人がいることを示す判別結果がＭＳ送受信機４−ｊに通知されるまで繰り返して実行される。
【００９１】
なお、この動作におけるシニア端末５は、一般端末１６１またはキッズ端末６に置換することができる。このとき、一般端末１６１またはキッズ端末６は、緊急ボタン１５、ナースコールボタン１６またはヘルプボタン１７の押下に応答して、ユーザの氏名とＩＤと押下されたボタンの種類とを示すヘルプ電波を出力する。この動作におけるシニア端末５は、ＭＳ送受信機４−ｊに置換することができる。このとき、ＭＳ送受信機４−ｊは、緊急ボタン３５、ナースコールボタン３６またはヘルプボタン３７の押下に応答して、ユーザの氏名とＩＤと押下されたボタンの種類とを示すヘルプ電波を出力する。この動作におけるシニア端末５は、ＧＭ送受信機３−ｉに置換することができる。このとき、ＧＭ送受信機３−ｉは、緊急ボタン３５、ナースコールボタン３６またはヘルプボタン３７の押下に応答して、ユーザの氏名とＩＤと押下されたボタンの種類とを示すヘルプ電波を出力する。
【００９２】
このような動作によれば、シニア端末５のユーザは、シニア端末５のボタンを押下することにより、近隣に住むボランティアをより確実に呼ぶことができる。
【００９３】
図１６は、キッズ端末６のボタンが押下されたときの動作を示している。キッズ端末６を携帯するユーザは、たとえば、不審者に暴力されそうなときに、または、誘拐されそうなときに、キッズ端末６のボタンを押下する。（ステップＳ２１）。キッズ端末６は、そのボタンの押下に応答して、警報音を発し、ユーザの氏名とキッズ端末６を識別するＩＤとを示すヘルプ電波を出力する（ステップＳ２２）。キッズ端末６は、さらに、その後に５分間隔でそのヘルプ電波を出力し、そのボタンが押下されてから１時間後以降に３０分間隔でそのヘルプ電波を出力し、そのボタンが押下されてから１日後以降に６０分間隔でそのヘルプ電波を出力する。
【００９４】
ＭＳ送受信機４−ｊは、キッズ端末６から出力されたヘルプ電波を受信したときに、警報音を発して、そのヘルプ電波が示すユーザの氏名とキッズ端末６を識別するＩＤとをディスプレイ３４に表示する（ステップＳ２３）。ＭＳ送受信機４−ｊのユーザは、その警報に気づいたときに、住宅の外に出て、辺りの様子を伺う。このような動作によれば、犯罪の抑止に効果的である。
【００９５】
ＭＳ送受信機４−ｊは、キッズ端末６から出力されたヘルプ電波を受信したときに、さらに、そのヘルプ電波が示す情報とＭＳ送受信機４−ｊのＩＤと転送回数とを示す中継電波を出力する（ステップＳ２４）。その転送回数は、このとき、１を示す。ＭＳ送受信機４−ｊは、他のＭＳ送受信機４−ｊ′から出力される中継電波を受信した場合で、その中継電波が示す転送回数がセンター装置２から指示された回数未満であるときに、他の中継電波を出力する。その出力される中継電波は、受信された中継電波が示す情報とそのヘルプ電波を受信したＭＳ送受信機のＩＤとを示している。その出力される中継電波は、転送回数として受信された中継電波が示す転送回数に１を加算した値を示している。
【００９６】
このような転送電波は、ＭＳ送受信機４−１〜４−ｍを無限に転送されることがなく、好ましい。
【００９７】
ＧＭ送受信機３−ｉは、ＭＳ送受信機４−ｊから出力された電波を受信したときに、インターネット７を介してその電波が示す情報をセンター装置２に転送する（ステップＳ２６）。センター装置２は、ＧＭ送受信機３−ｊからキッズ端末６のボタンが押下されたことを受信したときに、登録者データベース８３を参照して、そのキッズ端末６から出力されたヘルプ電波を受信したＭＳ送受信機４−１〜４−ｍの位置に基づいてそのキッズ端末６の位置を推測する（ステップＳ２７）。すなわち、センター装置２は、地図データベース８５を参照して、ヘルプ電波を受信したＭＳ送受信機４−１〜４−ｍの位置が分散している区画の概ね中央がキッズ端末６の位置であると推測し、より小さい電波強度のヘルプ電波を受信したＭＳ送受信機４−１〜４−ｍの近傍であると推測する。センター装置２は、その推測された位置をＧＭ送受信機３−ｊに返信する（ステップＳ２８）。センター装置２は、さらに、連絡先データベース８１を参照して、そのキッズ端末６のユーザの保護者にキッズ端末６のボタンが押下されたことを通知する（ステップＳ２９）。
【００９８】
ＧＭ送受信機３−ｉは、センター装置２からキッズ端末６の位置を受信したときに、電波を介してその位置をＭＳ送受信機４−ｊに転送する（ステップＳ３０）。ＭＳ送受信機４−ｊは、ＧＭ送受信機３−ｉからキッズ端末６の位置を受信したときに、警報音を発してＧＭ送受信機３−ｉから受信したその位置をディスプレイ３４に表示する（ステップＳ３１）。ＭＳ送受信機４−ｊは、さらに、電波を介してその位置を一般端末１６１に転送する。このとき、一般端末１６１は、警報音を発して、ＭＳ送受信機４−ｊから受信したその位置をディスプレイ１４に表示する。その位置を参照してキッズ端末６のところに到着した人は、問題が解決したときに、近隣セキュリティシステム１の管理業者に連絡し、センター装置２からキッズ端末６に電波の発信を停止するための情報を送信するように依頼する。その位置を参照してキッズ端末６のところに到着した人は、問題が解決したときに、さらに、キッズ端末６を操作して、電波の発信を停止する。すなわち、キッズ端末６のボタンが押下されたときの動作は、キッズ端末６が電波の発信を停止するまで繰り返して実行される。キッズ端末６のボタンが押下されたときの動作は、さらに、キッズ端末６を操作することだけで停止することができない。このような動作によれば、誰かが悪意でキッズ端末６の電波の発信を停止することを防止することができる。
【００９９】
このような動作によれば、キッズ端末６を携帯するユーザが誘拐されたときに、その位置を容易に推測することができ、その誘拐をより速く解決することができる。
【０１００】
図１７は、行政から緊急情報が発令されたときの動作を示している。センター装置２の管理者は、行政から緊急情報が発令されたときに、センター装置２にその緊急情報を入力する。または、センター装置２は、自動的に、インターネット７を介して行政から発令される緊急情報を収集する（ステップＳ４１）。センター装置２は、その緊急情報をＧＭ送受信機３−１〜３−ｎに送信する（ステップＳ４２）。
【０１０１】
ＧＭ送受信機３−ｉは、その緊急情報をセンター装置２から受信したときに、警報音を発してその緊急情報をディスプレイ５４に表示する（ステップＳ４３）。ＧＭ送受信機３−ｉは、その緊急情報をセンター装置２から受信したときに、さらに、電波を介してその緊急情報をＭＳ送受信機４−１〜４−ｍに送信する（ステップＳ４４）。ＭＳ送受信機４−ｊは、その緊急情報をＧＭ送受信機３−ｉから受信したときに、警報音を発してその緊急情報をディスプレイ３４に表示する（ステップＳ４５）。
【０１０２】
ＭＳ送受信機４−ｊは、その緊急情報をセンター装置２から受信したときに、さらに、電波を介してその緊急情報を一般端末１６１に送信する（ステップＳ４６）。一般端末１６１は、その緊急情報をＭＳ送受信機４−ｊから受信したときに、警報音を発してその緊急情報をディスプレイ１４に表示する（ステップＳ４７）。
【０１０３】
このような動作によれば、ユーザは、ＧＭ送受信機３−１〜３−ｎとＭＳ送受信機４−１〜４−ｍと一般端末１６１とを用いて、行政から発令された緊急情報を安価に知ることができる。
【０１０４】
図１８は、ＧＭ送受信機３−１〜３−ｎとＭＳ送受信機４−１〜４−ｍとが正常に動作するかどうかをチェックする動作を示している。センター装置２は、間欠的に（たとえば、１日おきに）、インターネット７を介してチェック指示をＧＭ送受信機３−１〜３−ｎに送信する（ステップＳ５１）。ＧＭ送受信機３−ｉは、センター装置２からチェック指示を受信したときに、自らが正常に動作するかどうかをチェックして（ステップＳ５２）、そのチェック結果をセンター装置２に返信する（ステップＳ５３）。ＧＭ送受信機３−ｉは、センター装置２からチェック指示を受信したときに、さらに、電波を介してそのチェック指示をＭＳ送受信機４−１〜４−ｍに向けて配信する（ステップＳ５４）。
【０１０５】
ＭＳ送受信機４−ｊは、ＧＭ送受信機３−ｉからチェック指示を受信したときに、自らが正常に動作するかどうかをチェックして（ステップＳ５５）、そのチェック結果をＧＭ送受信機３−ｉに返信する（ステップＳ５６）。ＧＭ送受信機３−ｉは、ＭＳ送受信機４−ｊからそのチェック結果を受信したときに、そのチェック結果をセンター装置２に転送する（ステップＳ５７）。
【０１０６】
センター装置２は、ＧＭ送受信機３−１〜３−ｎから受信したチェック結果とＭＳ送受信機４−１〜４−ｍから受信したチェック結果とを記録する。近隣セキュリティシステム１の管理者は、端末７３を操作してそれらのチェック結果を表示させて閲覧し（ステップＳ５８）、問題がある機器が存在するときに、その機器を速やかに修理する。
【０１０７】
このような動作によれば、近隣セキュリティシステム１を常時に正常に機能させることができる。
【０１０８】
なお、本発明による近隣セキュリティ方法は、転送電波の転送に関する制限をＭＳ送受信機４−１〜４−ｍに指示する動作を省略することもできる。このとき、ＭＳ送受信機４−１〜４−ｍは、初期的に、回数を記録している。ＭＳ送受信機４−１〜４−ｍは、それぞれ、その記録されている回数以上に転送しないように、転送電波を転送する。
【０１０９】
本発明による近隣セキュリティシステムの実施の他の形態は、既述の実施の形態におけるＭＳ送受信器４−ｊの中継電波出力部４２が他の中継電波出力部に置換され、転送部４３が他の転送部に置換され、センター装置２の転送制限指示部９６が他の転送制限指示部に置換されている。
【０１１０】
その中継電波出力部は、センター装置２から指示される複数のＩＤを記録している。その中継電波出力部は、ヘルプ電波受信部４１によりヘルプ電波が受信されたことに応答して、中継電波を出力する。その中継電波は、そのヘルプ電波が示す情報とそのヘルプ電波を受信したＭＳ送受信機のＩＤとを示している。その中継電波は、さらに、出動ボタン３８が押下されたときに、ＭＳ送受信機４−ｊのＩＤを示している。その中継電波は、さらに、転送回数として１を示している。その中継電波は、さらに、その中継電波出力部により記録された複数のＩＤを示している。
【０１１１】
その転送部は、センター装置２から指示される所定の回数を記録している。その転送部は、受信した中継電波が示す転送回数がセンター装置２から指示された回数未満であり、かつ、その中継電波が示す複数のＩＤがＭＳ送受信機４−ｊのＩＤを含んでいるときに、他の中継電波を出力する。その出力される中継電波は、受信された中継電波が示すヘルプ電波の情報を示している。その出力される中継電波は、さらに、受信された中継電波が示す出動ボタン３８が押下されたＭＳ送受信機のＩＤを示し、ＭＳ送受信機４−ｊの出動ボタン３８が押下されたときに、ＭＳ送受信機４−ｊのＩＤをさらに示している。その出力される中継電波は、さらに、転送回数として受信された中継電波が示す転送回数に１を加算した値を示している。その出力される中継電波は、さらに、その中継電波出力部により記録された複数のＩＤを示している。
【０１１２】
その転送制限指示部は、ＭＳ送受信機４−１〜４−ｍが転送電波を転送することができる回数を算出し、登録者データベース８３を参照して、ＭＳ送受信機４−１〜４−ｍの各々が出力する転送電波を転送することができる複数のＭＳ送受信機のＩＤを算出する。その回数は、ＭＳ送受信機４−１〜４−ｍが出力するヘルプ電波の到達距離とＧＭ送受信機３−１〜３−ｎが配置される濃度とに基づいて算出され、任意の場所から出力された転送電波をＭＳ送受信機４−１〜４−ｍが転送することによりその転送電波がＧＭ送受信機３−１〜３−ｎに受信される確率が所定の値より大きくなる転送回数を示している。その転送制限指示部は、さらに、ＧＭ送受信機３−１〜３−ｎを介して、ＭＳ送受信機４−１〜４−ｍの各々に算出された回数と複数のＩＤとを通知する。
【０１１３】
このとき、既述の実施の形態における転送電波の転送に関する制限をＭＳ送受信機４−１〜４−ｍに指示する動作は、他の動作に置換されている。その動作では、センター装置２が、まず、ＭＳ送受信機４−１〜４−ｍが転送電波を転送することができる回数を算出し、登録者データベース８３を参照して、ＭＳ送受信機４−１〜４−ｍの各々が出力する転送電波を転送することができる複数のＭＳ送受信機のＩＤを算出する。センター装置２は、次いで、ＧＭ送受信機３−１〜３−ｎを介して、ＭＳ送受信機４−１〜４−ｍの各々に算出された回数と複数のＩＤとを通知する。ＭＳ送受信機４−ｊは、センター装置２から指示されるその回数と複数のＩＤとを記録する。
【０１１４】
なお、このような転送電波の転送に関する制限をＭＳ送受信機４−１〜４−ｍに指示する動作を省略することもできる。このとき、ＭＳ送受信機４−１〜４−ｍは、初期的に、その回数と複数のＩＤとを記録している。
【０１１５】
このとき、さらに、既述の実施の形態におけるシニア端末５のボタンが押下されたときの動作のステップＳ４〜Ｓ５が他の処理に置換されている。すなわち、ＭＳ送受信器４−ｊは、シニア端末５から出力されるヘルプ電波が受信されたことに応答して、中継電波を出力する。その中継電波は、そのヘルプ電波が示す情報を示している。その中継電波は、さらに、出動ボタン３８が押下されたときに、ＭＳ送受信機４−ｊのＩＤを示している。その中継電波は、さらに、転送回数として１を示している。その中継電波は、さらに、ＭＳ送受信器４−ｊに記録された複数のＩＤを示している。
【０１１６】
ＭＳ送受信器４−ｊは、ＭＳ送受信機４−１〜４−ｍにより出力された中継電波を受信する。ＭＳ送受信器４−ｊは、その中継電波が示す転送回数が記録された回数未満であり、かつ、その中継電波が示す複数のＩＤがＭＳ送受信機４−ｊのＩＤを含んでいるときに、他の中継電波を出力する。その出力される中継電波は、受信された中継電波が示すヘルプ電波の情報を示している。その出力される中継電波は、さらに、受信された中継電波が示す出動ボタン３８が押下されたＭＳ送受信機のＩＤを示し、ＭＳ送受信機４−ｊの出動ボタン３８が押下されたときに、ＭＳ送受信機４−ｊのＩＤをさらに示している。その出力される中継電波は、さらに、転送回数として受信された中継電波が示す転送回数に１を加算した値を示している。その出力される中継電波は、さらに、ＭＳ送受信器４−ｊに記録された複数のＩＤを示している。
【０１１７】
このとき、さらに、既述の実施の形態におけるキッズ端末６のボタンが押下されたときの動作のステップＳ２４〜Ｓ２５が他の処理に置換されている。すなわち、ＭＳ送受信器４−ｊは、キッズ端末６から出力されるヘルプ電波が受信されたことに応答して、中継電波を出力する。その中継電波は、そのヘルプ電波が示す情報とそのヘルプ電波を受信したＭＳ送受信器４−ｊのＩＤとを示している。その中継電波は、さらに、出動ボタン３８が押下されたときに、ＭＳ送受信機４−ｊのＩＤを示している。その中継電波は、さらに、転送回数として１を示している。その中継電波は、さらに、ＭＳ送受信器４−ｊに記録された複数のＩＤを示している。
【０１１８】
ＭＳ送受信器４−ｊは、ＭＳ送受信機４−１〜４−ｍにより出力された中継電波を受信し、その中継電波が示す転送回数が記録された回数未満であり、かつ、その中継電波が示す複数のＩＤがＭＳ送受信機４−ｊのＩＤを含んでいるときに、他の中継電波を出力する。その出力される中継電波は、受信された中継電波が示すヘルプ電波の情報とヘルプ電波を受信したＭＳ送受信器のＩＤとを示している。その出力される中継電波は、さらに、転送回数として受信された中継電波が示す転送回数に１を加算した値を示している。その出力される中継電波は、さらに、ＭＳ送受信器４−ｊに記録された複数のＩＤを示している。
【０１１９】
このとき、転送電波が輻輳することが防止され、好ましい。
【０１２０】
本発明による近隣セキュリティシステムの実施のさらに他の形態は、既述の実施の形態におけるシニア端末５が固有のＩＤを示す電波の受信に応答して電波を出力する機能をさらに備えている。このとき、そのシニア端末５を携帯する人の居場所を追跡するしたいユーザは、センター装置２にそのシニア端末５のＩＤを連絡する。センター装置２は、そのＩＤを示す電波を出力するように、ＧＭ送受信機３−１〜３−ｎに通知する。ＧＭ送受信機３−１〜３−ｎは、それぞれ、そのＩＤを示す電波を出力する。ＭＳ送受信機４−１〜４−ｍは、それぞれ、そのＩＤを示す電波を受信したときに、そのＩＤを示す電波を出力する。そのシニア端末５は、受信した電波が固有のＩＤを示すときに、ヘルプ電波を出力する。センター装置２は、既述の実施の形態におけるキッズ端末６のボタンが押下されたときの動作（図１６）のステップＳ２２〜Ｓ２７と同様にして、そのシニア端末５の位置を推測し、その位置をそのユーザに通知する。このとき、そのユーザは、そのシニア端末５を携帯する人の居場所を追跡することができ、たとえば、徘徊老人にそのシニア端末５を携帯させることにより、その徘徊老人の居場所を追跡することができる。
【０１２１】
本発明による近隣セキュリティシステムの実施のさらに他の形態は、ＭＳ送受信機４−１〜４−ｍがそれぞれ他のボタンとそのボタンの押下に応答して固有のＩＤを示す電波を出力する機能を更に備えている。このとき、学校に例示され施設には、ＭＳ送受信機４−１〜４−ｍから出力されるその電波が示すＩＤを表示するＩＤ表示装置が設置され、その施設の出入り口には、常時閉鎖される門が設置されている。その施設を訪問するＭＳ送受信機４−ｊのユーザは、予め、その施設にＭＳ送受信機４−ｊのＩＤを通知する。そのユーザは、その施設の前でＭＳ送受信機４−ｊのそのボタンを押下し、ＭＳ送受信機４−ｊにそのＩＤを示す電波を出力させる。その施設の担当者は、そのＩＤ表示装置を用いてその電波が示すＩＤが先に通知されたＩＤと一致しているかをを確認し、一致しているときにその門を解放してそのユーザがその施設内に入ることを許可する。このとき、その施設には、予め通知があったユーザのみが容易に訪問することができる。
【０１２２】
なお、その門は、その電波の受信に応答して開放する機能を備えてもよい。このとき、その施設の管理者は、通知されたＩＤを示す電波の受信に応答して開放されるようにその門を設定する。ＭＳ送受信機４−ｊのユーザは、その門の前でＭＳ送受信機４−ｊのそのボタンを押下し、ＭＳ送受信機４−ｊにそのＩＤを示す電波を出力させる。その門は、その電波の受信に応答して開放する。このとき、その施設には、予め通知があったユーザのみが容易に訪問することができる。
【０１２３】
本発明による近隣セキュリティシステムの実施のさらに他の形態は、ＭＳ送受信機４−１〜４−ｍが所定の電波の受信に応答して固有のＩＤを示す電波を出力する機能をさらに備えている。このとき、災害が発生したときに開設される避難所には、ＭＳ送受信機４−１〜４−ｍのＩＤをＭＳ送受信機４−１〜４−ｍのユーザに対応付けるデータベースを有し、避難者を管理する装置が設置される。その装置は、その所定の電波を、その避難所の内部に配置されるＭＳ送受信機４−１〜４−ｍにのみ受信できるように定期的に出力する。ＭＳ送受信機４−ｊは、その所定の電波に応答して固有のＩＤを示す電波を出力する。その装置は、そのデータベースを参照して、受信した電波が示すＩＤに対応するユーザが避難所に避難したと判別する。ＭＳ送受信機４−ｊのユーザは、その避難所に避難したことを、容易にその避難所の管理者に連絡することができる。
【０１２４】
図１９は、キッズ端末６を示している。キッズ端末６は、端末本体２０１とストラップ留め具２０２とを備えている。端末本体２０１は、既述の実施の形態における動作を実行するための複数の電子機器がケースに納められている。ストラップ留め具２０２は、端末本体２０１から突起した輪に形成されている。ストラップ留め具２０２は、さらに、端末本体２０１から引っ張られると動作するスイッチに形成され、緊急ボタン１５に兼用される。このとき、キッズ端末６は、ストラップ留め具２０２にストラップ２０３を取り付けることができる。このとき、ユーザは、ストラップ２０３を首にかけることにより、容易にキッズ端末６を携帯することができる。ユーザは、さらに、ストラップ２０３を首にかけてキッズ端末６を携帯しているときに、キッズ端末６の端末本体２０１を下に引っ張ることにより容易に緊急ボタン１５を操作することができる。
【０１２５】
ストラップ留め具２０２は、さらに、導体から形成され、アンテナに兼用されている。アンテナは、一般に、長さが電波の波長であることが好ましく、たとえば、９４０〜９５５．９８７５ＭＨｚの電波を使用するときに、長さを約３２ｃｍにすることが好ましい。キッズ端末６は、アンテナを端末本体２０１の内部に収納するときに端末本体２０１をそのアンテナの長さに合わせて設計する必要があり、そのアンテナが長いときに端末本体２０１を大きくする必要がある。さらに、キッズ端末６は、アンテナを伸縮式に形成したときに、使用するたびにアンテナを伸ばす必要があり使い勝手が悪く、アンテナの先端部分が何かに引っ掛かることがあり携帯に不便である。キッズ端末６は、ストラップ留め具２０２をアンテナに兼用することにより、電波の放射効率（感度）をよくしつつ、キッズ端末６の端末本体２０１を小型化することができる。
【０１２６】
キッズ端末６は、さらに、ＰＨＳに例示される回線網を介して、その回線網に接続される端末と通信することができる。その端末としては、ＰＨＳ端末、携帯電話機、固定電話機、パーソナルコンピュータが例示される。キッズ端末６は、その端末がキッズ端末６に通信の要求（発呼）をしたときに着信音を鳴らして、キッズ端末６のユーザは、その着信音がなっている間にキッズ端末６に所定の操作をすることにより、キッズ端末６を用いてその端末のユーザと通話することができる。
【０１２７】
さらに、センター装置２は、その回線網を介してキッズ端末６と通信することができる。キッズ端末６は、センター装置２から発呼されたときに、着信音を鳴らさないで通信状態に入り、検出された音をセンター装置２に送信する。このような動作によれば、センター装置２のユーザは、キッズ端末６の周囲にいる人に気づかれないで、キッズ端末６の周囲の状況を把握することができる。たとえば、センター装置２のユーザは、キッズ端末６を携帯する児童が行方不明になったときに、キッズ端末６の周囲の状況からその児童の行方を推測することができる。なお、センター装置２は、その回線網に接続される他の装置に置換することができる。その装置がその児童の家族が使用する電話機であるときに、その家族は、その電話機を用いて、キッズ端末６の周囲にいる人に気づかれないで、キッズ端末６の周囲の状況を把握することができる。
【図面の簡単な説明】
【０１２８】
【図１】図１は、本発明による近隣セキュリティシステムの実施の形態を示すブロック図である。
【図２】図２は、シニア端末を示すブロック図である。
【図３】図３は、シニア端末にインストールされるコンピュータプログラムを示すブロック図である。
【図４】図４は、キッズ端末が電波を出力するタイミングを示すグラフである。
【図５】図５は、ＭＳ送受信機を示すブロック図である。
【図６】図６は、ＭＳ送受信機にインストールされるコンピュータプログラムを示すブロック図である。
【図７】図７は、ＧＭ送受信機を示すブロック図である。
【図８】図８は、ＧＭ送受信機にインストールされるコンピュータプログラムを示すブロック図である。
【図９】図９は、近隣セキュリティ装置を示すブロック図である。
【図１０】図１０は、本発明による近隣セキュリティ装置にインストールされるコンピュータプログラムを示すブロック図である。
【図１１】図１１は、連絡先データベースを示す図である。
【図１２】図１２は、ボタンデータベースを示す図である。
【図１３】図１３は、登録者データベースを示す図である。
【図１４】図１４は、守護者データベースを示す図である。
【図１５】図１５は、シニア端末のボタンが押下されたときの動作を示すフローチャートである。
【図１６】図１６は、キッズ端末のボタンが押下されたときの動作を示すフローチャートである。
【図１７】図１７は、行政から緊急情報が発令されたときの動作を示すフローチャートである。
【図１８】図１８は、ＧＭ送受信機とＭＳ送受信機とが正常に動作するかどうかをチェックする動作を示すフローチャートである。
【図１９】図１９は、キッズ端末を示す図である。
【符号の説明】
【０１２９】
１  ：近隣セキュリティシステム
２  ：センター装置
３−１〜３−ｎ：ＧＭ送受信機
４−１〜４−ｍ：ＭＳ送受信機
５  ：シニア端末
６  ：キッズ端末
７  ：インターネット
８  ：電波
９  ：電波
１０：一般端末本体
１１：入力装置
１２：電源装置
１３：アンテナ
１５：緊急ボタン
１６：ナースコールボタン
１７：ヘルプボタン
２１：クロック回路
２２：ＥＥＰＲＯＭ
２３：ＲＡＭ
２４：ホストインターフェースハードウェア
２５：エンベデッドＣＰＵ
２６：メディアアクセスコントローラ
２７：ベースバンドプロセッサ
２８：ＲＦ
２９：半導体チップ
３１：入力装置
３２：電源装置
３３：アンテナ
３４：ディスプレイ
３５：緊急ボタン
３６：ナースコールボタン
３７：ヘルプボタン
３８：出動ボタン
１５１：ＩＤデータベース
１５２：ボタン監視部
１５３：ヘルプ電波出力部
１５４：タイマ部
１５５：電波出力計数部
４１：ヘルプ電波受信部
４２：中継電波出力部
４３：転送部
４４：人数判別結果受信部
４５：加勢部
４６：警報部
４７：チェック部
４８：緊急情報表示部
５１：入力装置
５２：電源装置
５３：アンテナ
５４：ディスプレイ
５５：緊急ボタン
５６：ナースコールボタン
５７：ヘルプボタン
５８：出動ボタン
６１：転送部
６２：チェック部
７１：ロードバランサ
７２−１〜７２−ｋ：サーバ
７３−１〜７３−ｌ：端末
８１：連絡先データベース
８２：ボタンデータベース
８３：登録者データベース
８４：守護者データベース
８５：地図データベース
８６：ヘルプ収集部
８７：人数判別部
８８：判別結果配信部
８９：位置推測部
９０：位置配信部
９１：通知部
９２：チェック部
９３：緊急情報収集部
９４：緊急情報配信部
９５：料金精算部
【図１】
2005243002.tif 000003
【図２】
2005243002.tif 000004
【図３】
2005243002.tif 000005
【図４】
2005243002.tif 000006
【図５】
2005243002.tif 000007
【図６】
2005243002.tif 000008
【図７】
2005243002.tif 000009
【図８】
2005243002.tif 000010
【図９】
2005243002.tif 000011
【図１０】
2005243002.tif 000012
【図１１】
2005243002.tif 000013
【図１２】
2005243002.tif 000014
【図１３】
2005243002.tif 000015
【図１４】
2005243002.tif 000016
【図１５】
2005243002.tif 000017
【図１６】
2005243002.tif 000018
【図１７】
2005243002.tif 000019
【図１８】
2005243002.tif 000020
【図１９】
2005243002.tif 000021
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信する
近隣セキュリティシステム。
【請求項２】
請求項１において、
前記複数の中継装置は、階層構造に配置され、
前記複数の中継装置の各々は、前記ヘルプＩＤを受信したとき、前記ヘルプＩＤが前記階層構造内を複数のルートを介して前記センター装置に送信されるように、前記ヘルプＩＤを中継する
近隣セキュリティシステム。
【請求項３】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信し、
前記センター装置は、
ＩＤを連絡先に対応付ける連絡先データベースを備え、
前記連絡先データベースを参照して、前記連絡先のうちの前記ヘルプＩＤに対応するヘルプ連絡先に前記ボタンの操作を通知する
近隣セキュリティシステム。
【請求項４】
請求項３において、
前記ヘルプ連絡先は、複数の連絡先からなり、
前記センター装置は、前記端末が備える複数ボタンを連絡先の種類に対応付けるボタンデータベースを更に備え、
前記ボタンデータベースを参照して、前記ヘルプ連絡先のうちの前記ボタンに対応する種類の連絡先に前記ボタンの操作を通知する
近隣セキュリティシステム。
【請求項５】
固有のヘルプＩＤを記憶し、ボタンを備える端末と、
複数の中継装置と、
センター装置とを具備し、
前記端末は、前記ボタンの操作に応答して前記ヘルプＩＤを示す電波を出力し、
前記複数の中継装置は、それぞれ、前記端末または前記複数の中継装置のうちの他の中継装置から受信電波を受信したときに、前記複数の中継装置のうちの更に他の中継装置または前記センター装置に前記受信電波が示すＩＤを送信し、
前記センター装置は、
ボランティアの連絡先を記録する守護者データベースを備え、
前記守護者データベースを参照して、前記連絡先に前記ボタンの操作を通知する
近隣セキュリティシステム。
【請求項６】
請求項５において、
前記守護者データベースは、前記連絡先を時間帯に更に対応付け、
前記センター装置は、前記守護者データベースを参照して、前記時間帯にのみ前記連絡先に前記ボタンの操作を通知する
近隣セキュリティシステム。
【請求項７】
請求項１〜請求項６において、
前記センター装置は、
前記複数の中継装置がそれぞれ配置される位置を記録する中継装置データベースを備え、
前記中継装置データベースを参照して、前記複数の中継装置のうちの前記電波を受信した中継装置の位置に基づいて前記端末が配置される端末位置を推測する
近隣セキュリティシステム。
【請求項８】
請求項７において、
前記端末は、第１電波を介して前記ヘルプＩＤを出力し、前記第１電波より電波強度が小さい第２電波を介して前記ヘルプＩＤを出力し、
前記センター装置は、前記中継装置データベースを参照して、前記複数の中継装置のうちの前記第１電波を受信した中継装置の位置と前記複数の中継装置のうちの前記第２電波を受信した中継装置の位置とに基づいて前記端末位置を推測する
近隣セキュリティシステム。
【請求項９】
請求項７または請求項８において、
他の端末を更に具備し、
前記センター装置は、前記端末位置を前記複数の中継装置に配信し、
前記複数の中継装置は、前記端末位置を表示し、電波を介して前記端末位置を前記他の端末に配信し、
前記他の端末は、前記端末位置を表示する
近隣セキュリティシステム。
【請求項１０】
請求項１乃至請求項９のいずれかにおいて、
他の端末を更に具備し、
前記センター装置は、前記ボタンの操作を前記複数の中継装置に配信し、
前記複数の中継装置は、電波を介して前記ボタンの操作を前記他の端末に配信する
近隣セキュリティシステム。
【請求項１１】
請求項１〜請求項１０のいずれかにおいて、
前記複数の中継装置は、
公衆回線網を介して前記センター装置に接続される複数の第１中継装置と、
電波を介して前記第１中継装置に接続される複数の第２中継装置とを含み、
前記複数の第２中継装置のうちの前記電波を受信した中継装置は、前記ヘルプＩＤを示す他の電波を出力し、
前記複数の第１中継装置のうちの前記他の電波を受信した中継装置は、前記公衆回線網を介して前記センター装置に前記ヘルプＩＤを送信する
近隣セキュリティシステム。
【請求項１２】
請求項１１において、
前記複数の第２中継装置のうちの前記電波を受信した中継装置は、前記ヘルプＩＤを示す他の電波を出力し、
前記複数の第２中継装置のうちの前記他の電波を受信した中継装置は、前記ヘルプＩＤを示す更に他の電波を出力し、
前記複数の第１中継装置のうちの前記更に他の電波を受信した中継装置は、前記公衆回線網を介して前記センター装置に前記ヘルプＩＤを送信する
近隣セキュリティシステム。
【請求項１３】
請求項１１または請求項１２のいずれかにおいて、
前記センター装置は、
公衆に発令される緊急情報を収集し、
前記公衆回線網を介して前記複数の第１中継装置に前記緊急情報を配信し、
前記複数の第１中継装置は、前記緊急情報を表示し、電波を介して前記複数の第２中継装置に配信し、
前記複数の第２中継装置は、前記緊急情報を表示する
近隣セキュリティシステム。
【請求項１４】
請求項１３において、
前記複数の第２中継装置は、電波を介して前記緊急情報を前記端末に配信し、
前記端末は、前記緊急情報を表示する
近隣セキュリティシステム。
【請求項１５】
請求項１１乃至請求項１４のいずれかにおいて、
前記センター装置は、前記複数の第１中継装置にチェック指示を配信し、
前記複数の第１中継装置は、前記センター装置からチェック指示を受信したときに、当該複数の第１中継装置が正常に動作するかどうかを示すチェック結果を前記センター装置に返信し、前記複数の第２中継装置に前記チェック指示を配信し、
前記複数の第２中継装置は、前記複数の第１中継装置から前記チェック指示を受信したときに、当該複数の第１中継装置が正常に動作するかどうかを示すチェック結果を前記複数の第１中継装置に返信し、
前記複数の第１中継装置は、前記複数の第２中継装置から受信した前記チェック結果を前記センター装置に転送する
近隣セキュリティシステム。
【請求項１６】
請求項１〜請求項１５のいずれかに記載の近隣セキュリティシステムに適用される
端末。
【請求項１７】
請求項１６において、
複数の電子機器がケースに収納される端末本体と、
前記端末本体から突出している輪とを具備し、
前記輪は、導体から形成され、前記電波を発振するアンテナに用いられる
端末。
【請求項１８】
請求項１７において、
前記輪は、前記端末本体から引かれることを検出し、前記ボタンとして用いられる
端末。
【請求項１９】
請求項１６〜請求項１８のいずれかにおいて、
電話回線網を介して前記電話回線網に接続される電話機と通話する機能を備える
端末。
【請求項２０】
請求項１９において、
前記電話回線網に接続される所定の装置から通信を要求されたときに、着信音を鳴らさないで、検出された音を前記電話回線網を介して前記所定の装置に送信する
端末。
【請求項２１】
請求項１６〜請求項１８のいずれかにおいて、
前記センタ装置から所定の情報を受信し、かつ、所定の操作がされたときに、前記電波の出力を停止する
端末。
【請求項２２】
請求項１６〜請求項２１のいずれかにおいて、
前記ボタンの操作に応答して警報音を発するブザー
を具備する端末。
【請求項２３】
請求項１６〜請求項２１のいずれかにおいて、
前記固有のヘルプＩＤを示す電波の受信に応答して前記ヘルプ電波を出力する
端末。
【請求項２４】
請求項１〜請求項１５のいずれかに記載の近隣セキュリティシステムに適用される
中継装置。
【請求項２５】
請求項２４において、
前記端末の機能を更に有する
中継装置。